(57)【特許請求の範囲】
【請求項１】
１または複数の遊技機に対応して設置され、該対応する遊技機に関する情報を遊技者が所持する携帯情報端末に配信する情報配信装置を少なくとも含む情報配信システムであって、
前記情報配信装置に対応する遊技機に関する遊技機関連情報を入力するための遊技機関連情報入力手段と、
前記遊技機関連情報入力手段に入力された遊技機関連情報に基づき、前記携帯情報端末に配信する送信データを生成する送信データ生成手段と、
前記情報配信装置が配信する各情報について、当該情報に基づく送信データを送信するときに報知を実施するか否かを設定する報知設定手段と、
を備え、
前記情報配信装置は、
直交周波数分割多重（ＯＦＤＭ）変調により複数のセグメントに多重化されたＩＳＤＢ−Ｔ方式に基づく地上波デジタル放送信号の簡易動画セグメント信号により、前記送信データ生成手段により生成された送信データを送信する地上波デジタル放送信号送信手段と、
前記地上波デジタル放送信号送信手段により送信する送信データに対応する情報が、前記報知設定手段にて報知を実施すると設定されている情報であるか否かを判定する報知判定手段と、
前記報知判定手段にて報知を実施すると設定されている情報であると判定されたことを条件に、該情報が前記地上波デジタル放送信号送信手段により送信される前に前記報知を実施する報知手段と、
を備えることを特徴とする情報配信システム。
【請求項２】
遊技者にとって有益となる有益情報を入力するための有益情報入力手段と、
前記有益情報を前記地上波デジタル放送信号送信手段により送信する送信条件を設定する有益情報送信条件設定手段と、
前記有益情報送信条件設定手段にて設定された送信条件が満たされたか否かを判定する送信条件判定手段と、
を備え、
前記送信データ生成手段は、前記有益情報入力手段から入力された有益情報に基づく送信データを生成し、
前記地上波デジタル放送信号送信手段は、前記送信条件判定手段によって送信条件が満たされたと判定されたことを条件に、前記送信データ生成手段により生成された有益情報に基づく送信データを送信することを特徴とする請求項１に記載の情報配信システム。
【請求項３】
前記情報配信装置が対応する遊技機における遊技に伴い発生する遊技情報を入力するための遊技情報入力手段を備え、
前記有益情報送信条件設定手段は、前記送信条件として、前記有益情報を送信する情報配信装置が対応する遊技機の前記遊技情報に関する送信条件を設定し、
前記送信条件判定手段は、前記遊技情報入力手段に入力される遊技情報に基づいて、前記有益情報送信条件設定手段に設定された遊技情報に関する送信条件が満たされたか否かを判定することを特徴とする請求項２に記載の情報配信システム。
【請求項４】
前記情報配信装置は、前記地上波デジタル放送信号送信手段から送信される簡易動画セグメント信号の送信範囲を、対応する遊技機近傍の所定領域に規制する規制手段を備えることを特徴とする請求項１〜３のいずれかに記載の情報配信システム。
【請求項５】
前記送信データ生成手段は、前記情報配信装置が送信する各情報に対応するメニュー項目を含むメニュー画面を、前記送信データを受信した携帯情報端末において表示させるための送信データを生成し、
前記送信データを受信した携帯情報端末に表示された前記メニュー画面において選択されたメニュー項目を特定可能なメニュー選択情報を受信するメニュー選択情報受信手段を備え、
前記情報配信装置は、前記メニュー選択情報受信手段が前記メニュー選択情報を受信したことに基づいて、該受信したメニュー選択情報から特定されるメニュー項目に対応する情報に基づく送信データを、前記地上波デジタル放送信号送信手段により送信することを特徴とする請求項１〜４のいずれかに記載の情報配信システム。
【請求項６】
各種情報を表示可能な表示手段と、前記地上波デジタル放送信号送信手段から送信される簡易動画セグメント信号を受信する地上波デジタル放送信号受信手段と、該地上波デジタル放送信号受信手段にて受信した簡易動画セグメント信号を復調して前記送信データに変換する地上波デジタル放送信号復調手段と、有する情報表示装置と、
前記情報表示装置における表示情報を変更させるための変更情報を入力するための変更情報入力手段と、
を備え、
前記送信データ生成手段は、前記変更情報入力手段に入力された変更情報に基づく送信データを生成し、
前記地上波デジタル放送信号送信手段は、前記送信データ生成手段により生成された変更情報に基づく送信データを送信し、
前記情報表示装置は、前記地上波デジタル放送信号復調手段にて変換した送信データに基づいて前記表示手段の表示情報を変更することを特徴とする請求項１〜５のいずれかに記載の情報配信システム。
【発明の詳細な説明】
【技術分野】
【０００１】
本発明は、遊技機に関する情報を、遊技者が所持する情報端末に配信する情報配信システムに関する。
【背景技術】
【０００２】
従来、遊技者が所持する情報端末である携帯電話機に遊技機に関する情報を提供する情報提供装置としては、遊技機に対応して設けられた呼び出しランプにおいて、遊技者による操作に応じて対応する遊技台の台データがシンボル化された二次元バーコードを表示し、遊技者が、該表示された二次元バーコードを、自身が所持する携帯電話機により読み取ることで、台データを携帯電話機にて取得できるようにしたものがある（例えば、特許文献１参照）。
【０００３】
【特許文献１】特開２００５−１８５６０４号公報（第６頁、第２図）
【発明の開示】
【発明が解決しようとする課題】
【０００４】
しかしながら、特許文献１にあっては、台データを二次元バーコード化させて表示させるための操作や、表示された二次元バーコードを撮像する操作が必要とされるとともに、これら二次元バーコードの撮像（読み取り）操作に不慣れな遊技者にあっては、これら撮像（読み取り）操作において、焦点ずれや手ぶれを生じ易いので、良好な読み取りができなかったり読み取りに時間がかかる場合が多く、これら台データ等の遊技関連情報の取得に手間がかかってしまうという問題があった。
【０００５】
本発明は、このような問題点に着目してなされたもので、手間をかけることなく簡便に、遊技者が遊技機に関する情報を取得することのできる情報配信システムを提供することを目的とする。
【課題を解決するための手段】
【０００６】
上記課題を解決するために、本発明の請求項１に記載の情報配信システムは、
１または複数の遊技機（パチンコ機２）に対応して設置され、該対応する遊技機に関する情報（配信情報）を遊技者が所持する携帯情報端末（携帯電話機１００）に配信する情報配信装置（呼び出しランプ装置２００、島対応送信機４）を少なくとも含む情報配信システムであって、
前記情報配信装置に対応する遊技機に関する遊技機関連情報（大当り１信号等の各種信号、新台情報）を入力するための遊技機関連情報入力手段（呼び出しランプ装置２００、コンテンツサーバ１５０）と、
前記遊技機関連情報入力手段に入力された遊技機関連情報に基づき、前記携帯情報端末に配信する送信データを生成する送信データ生成手段（コンテンツサーバ１５０、台データ情報生成処理、送信設定情報生成処理）と、
前記情報配信装置が配信する各情報について、当該情報に基づく送信データを送信するときに報知を実施するか否かを設定する報知設定手段と、
を備え、
前記情報配信装置は、
直交周波数分割多重（ＯＦＤＭ）変調により複数のセグメントに多重化されたＩＳＤＢ−Ｔ方式に基づく地上波デジタル放送信号の簡易動画セグメント信号により、前記送信データ生成手段により生成された送信データを送信する地上波デジタル放送信号送信手段（地上波デジタル放送送信ユニット２５６、地上波デジタル放送送信ユニット４０４）と、
前記地上波デジタル放送信号送信手段により送信する送信データに対応する情報が、前記報知設定手段にて報知を実施すると設定されている情報であるか否かを判定する報知判定手段と、
前記報知判定手段にて報知を実施すると設定されている情報であると判定されたことを条件に、該情報が前記地上波デジタル放送信号送信手段により送信される前に前記報知を実施する報知手段と、
を備えることを特徴としている。
この特徴によれば、地上波デジタル放送信号の受信機能を有する携帯情報端末を所持する遊技者は、該地上波デジタル放送信号の受信操作を行うのみで、手間をかけることなく簡便に、該情報配信装置が対応する遊技機に関する情報を取得することができる。また、遊技者に対して特に提供したい重要性の高い情報を報知対象として設定することにより、これら重要性の高い情報が送信されることが情報の送信前に報知されるので、重要性の高い情報が送信されることを、遊技者に確実に認識させせることができる。
【０００７】
本発明の請求項２に記載の情報配信システムは、請求項１に記載の情報配信システムであって、
遊技者にとって有益となる有益情報（高設定台・甘釘台、コーヒー無料券、新台整理券）を入力するための有益情報入力手段（コンテンツサーバ１５０）と、
前記有益情報を前記地上波デジタル放送信号送信手段により送信する送信条件（配信条件）を設定する有益情報送信条件設定手段（コンテンツサーバ１５０、配信情報設定画面）と、
前記有益情報送信条件設定手段にて設定された送信条件が満たされたか否かを判定する送信条件判定手段（制御マイコン２７９；送信処理、Ｓ１）と、
を備え、
前記送信データ生成手段（コンテンツサーバ１５０；送信設定情報生成処理）は、前記有益情報入力手段から入力された有益情報に基づく送信データ（送信設定情報）を生成し、
前記地上波デジタル放送信号送信手段（地上波デジタル放送送信ユニット２５６）は、前記送信条件判定手段によって送信条件が満たされたと判定されたことを条件に、前記送信データ生成手段により生成された有益情報に基づく送信データ（高設定台・甘釘台、コーヒー無料券、新台整理券の配信情報）を送信することを特徴としている。
この特徴によれば、送信条件を満たすことで有益情報が送信されるため、これら有益情報を取得した遊技者の喜びを刺激し、これら有益情報を遊技者が取得しようとする結果、当該システムの利用を促進できる。
【０００８】
本発明の請求項３に記載の情報配信システムは、請求項２に記載の情報配信システムであって、
前記情報配信装置（呼び出しランプ装置２００）が対応する遊技機（パチンコ機２）における遊技に伴い発生する遊技情報（台データ）を入力するための遊技情報入力手段（呼び出しランプ装置２００；信号入力部２７８）を備え、
前記有益情報送信条件設定手段（コンテンツサーバ１５０、配信情報設定画面）は、前記送信条件（配信条件）として、前記有益情報を送信する情報配信装置が対応する遊技機の前記遊技情報に関する送信条件（スタート回数１０００回、連荘回数１０回、連荘回数１２回）を設定し、
前記送信条件判定手段（送信処理、Ｓ１）は、前記遊技情報入力手段に入力される遊技情報に基づいて、前記有益情報送信条件設定手段に設定された遊技情報に関する送信条件が満たされたか否かを判定することを特徴としている。
この特徴によれば、遊技に伴い発生する遊技情報に関する送信条件を満たすことで有益情報が配信されるため、遊技者は、これら有益情報を入手するために送信条件を満たそうとするので、遊技者の遊技意欲を向上させることができる。
【０００９】
本発明の請求項４に記載の情報配信システムは、請求項１〜３のいずれかに記載の情報配信システムであって、
前記情報配信装置（呼び出しランプ装置２００、島対応送信機４）は、前記地上波デジタル放送信号送信手段（地上波デジタル放送送信ユニット２５６、地上波デジタル放送送信ユニット４０４）から送信される簡易動画セグメント信号の送信範囲を、対応する遊技機（パチンコ機２、遊技島１に設置されているパチンコ機２）近傍の所定領域に規制する規制手段（アンテナモジュール２５９、送信アンテナ４００）を備えることを特徴としている。
この特徴によれば、各情報配信装置から送信された放送波が、対応する遊技機の範囲を超えた領域にまで到達することを極力防止でき、隣接する情報配信装置から送信された放送波の干渉等による影響を低減できる。
【００１１】
本発明の請求項５に記載の情報配信システムは、請求項１〜４のいずれかに記載の情報配信システムであって、
前記送信データ生成手段（コンテンツサーバ１５０、送信設定情報生成処理）は、前記情報配信装置（呼び出しランプ装置２００）が送信する各情報（条件なし配信情報）に対応するメニュー項目を含むメニュー画面を、前記送信データを受信した携帯情報端末（携帯電話機１００）において表示させるための送信データ（メニューページデータ）を生成し、
前記送信データを受信した携帯情報端末に表示された前記メニュー画面において選択されたメニュー項目を特定可能なメニュー選択情報を受信するメニュー選択情報受信手段（送信処理；Ｓ２、通信部２７４）を備え、
前記情報配信装置は、前記メニュー選択情報受信手段が前記メニュー選択情報を受信したことに基づいて、該受信したメニュー選択情報から特定されるメニュー項目に対応する情報に基づく送信データを、前記地上波デジタル放送信号送信手段（地上波デジタル放送送信ユニット２５６）により送信することを特徴としている。
この特徴によれば、複数の情報を配信する場合において、遊技者が希望する情報を迅速に配信できる。
【００１２】
本発明の請求項６に記載の情報配信システムは、請求項１〜５のいずれかに記載の情報配信システムであって、
各種情報を表示可能な表示手段（表示部３１２）と、前記地上波デジタル放送信号送信手段（地上波デジタル放送送信ユニット２５６）から送信される簡易動画セグメント信号を受信する地上波デジタル放送信号受信手段（内蔵アンテナ３４４、地上波デジタル放送受信ユニット３４０；フロントエンド３４２）と、該地上波デジタル放送信号受信手段にて受信した簡易動画セグメント信号を復調して前記送信データに変換する地上波デジタル放送信号復調手段（地上波デジタル放送受信ユニット３４０；バックエンド３４１）と、有する情報表示装置（カードユニット３）と、
前記情報表示装置における表示情報を変更させるための変更情報（表示変更情報）を入力するための変更情報入力手段（コンテンツサーバ１５０；表示変更情報設定画面）と、
を備え、
前記送信データ生成手段（コンテンツサーバ１５０）は、前記変更情報入力手段に入力された変更情報に基づく送信データを生成し、
前記地上波デジタル放送信号送信手段は、前記送信データ生成手段により生成された変更情報（表示変更情報）に基づく送信データを送信し、
前記情報表示装置は、前記地上波デジタル放送信号復調手段にて変換した送信データに基づいて前記表示手段の表示情報（会員促進情報、単位表示、台データ単位表示）を変更することを特徴としている。
この特徴によれば、情報表示装置の表示変更を実施するための装置を別途設ける必要がない。
【発明を実施するための最良の形態】
【００１３】
本発明の実施例を以下に説明する。
【実施例】
【００１４】
本発明の実施例を図面に基づいて説明すると、先ず図1は、本発明の情報配信システムの構成を示すシステム構成図であり、遊技場内に複数配置された遊技島１に並設される遊技機であるカードリーダ式パチンコ機（以下パチンコ機と略称する）２の上部位置に、該パチンコ機２に１対１に対応して設けられ、呼び出しランプ機能と台データ表示機能と地上波デジタル放送波の送信機能とを有する本発明の情報配信装置を成す呼び出しランプ装置２００と、これらパチンコ機２の所定側の側方位置に該パチンコ機２に対して１対１に対応設置され、会員カードやプリペイドカードの受付けに応じて遊技媒体であるパチンコ玉の貸出を行う貸出機能や各種情報の表示機能を有する本発明における情報表示装置となるカードユニット３と、各遊技島１の端部位置に設置され（図９参照）、地上波デジタル放送波の送信機能を有する本発明の情報配信装置を成す島対応送信機４と、各呼び出しランプ装置２００並びに各島対応送信機４の管理や設定変更等を行う、遊技場内の所定位置に設けられたコンテンツサーバ１５０と、各呼び出しランプ装置２００にて収集される各パチンコ機２における遊技に伴って発生した遊技関連情報である台データを集中管理する、遊技場内の所定位置に設けられたホールコンピュータ１３０と、から主に構成されている。
【００１５】
これらホールコンピュータ１３０、コンテンツサーバ１５０、各呼び出しランプ装置２００、各島対応送信機４とは、ハブ（ＨＵＢ）７並びに通信ケーブル８を介して双方向のデータ通信が可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されている各装置には、当該装置を個々に識別可能な装置ＩＤが付与されているとともに、各装置が装置ＩＤとローカルＩＰアドレスとが対応付けられたＩＰアドレステーブルや後述する送信機情報テーブル等を有することで、該装置ＩＤから特定される各ローカルＩＰアドレスを送信データに付与して送受信することにより、互いにデータの送受を実施できるようになっている。
【００１６】
尚、コンテンツサーバ１５０は、図１に示すように、オープンコンピュータネットワークであるインターネット網１１９に接続されており、インターネット網１１９を介して該コンテンツサーバ１５０にアクセスできるようになっているとともに、該アクセスしてきた端末との間において各種データの送受が可能とされている。
【００１７】
また、本実施例の呼び出しランプ装置２００は、１対１に対応するパチンコ機２並びに該パチンコ機２の下方に設けられたアウト玉計数器１６（図２参照）と接続され、対応するパチンコ機２から出力される後述する大当り信号等の各種信号や、アウト玉計数器１６から出力される打込信号が入力可能とされており、これらパチンコ機２やアウト玉計数器１６からの出力信号により呼び出しランプ装置２００にて集計された台データを含む送信データ列（図１９参照）が、ローカルエリアネットワーク（ＬＡＮ）を介してホールコンピュータ１３０に送信されることにより、ホールコンピュータ１３０において、各パチンコ機２に付与された台番号に対応付けて、その台における大当り回数等の一週間分の台データ（本日、前日、前々日…）が記憶、管理されるとともに、これら台データに基づく各種のランキング情報等が集計、記憶、管理されている。
【００１８】
また、本実施例のカードユニット３と対応するパチンコ機２とは、パチンコ玉の貸出に伴う各種の信号を入出力するために直接に接続されている。
【００１９】
尚、図１に示す１００は、遊技者が携行する携帯電話機であり、該携帯電話機１００は、通常の無線による通話機能に加えて、携帯電話会社（キャリア）の基地局１１７並びにゲートウェイサーバ１１８を介してインターネット網１１９に接続できるインターネット接続機能を有しており、該インターネット網１１９を介して、前述のコンテンツサーバ１５０にアクセスできるようになっている。
【００２０】
更に、本実施例の携帯電話機１００は、地上波デジタル放送波の簡易セグメント受信機能（いわゆるワンセグ受信機能）を提供するための図示しない地上波デジタル放送受信ユニットを内蔵しており、簡易セグメント放送（ワンセグ放送）を受信して、簡易セグメント放送映像を表示することができる。
【００２１】
尚、本実施例では、これら携帯電話機１００は、地上波デジタル放送受信ユニットを内蔵したものを例示しているが、本発明はこれに限定されるものではなく、これら地上波デジタル放送受信ユニットを有する外部アダプタを装着した携帯電話機であっても良い。
【００２２】
ここで、本実施例に用いた遊技機であるパチンコ機２について簡単に説明すると、該パチンコ機２は、図２に示すように、額縁状に形成されたガラス扉枠２２を有し、該ガラス扉枠２２の下部表面には打球供給皿２３がある。打球供給皿２３の上面所定箇所には、操作部１４が設けられているとともに、打球供給皿２３の下部には、打球供給皿２３から溢れた景品玉を貯留する余剰玉受皿２４と打球を発射する打球操作ハンドル（以下操作ノブ）２５とが設けられている。
【００２３】
前記操作部１４の上面には、図示しないが、前記カードユニット３において会員カード或いはプリペイドカードより読み出された遊技用残額データに基づく遊技用残額が表示される残額表示器や、遊技の開始または前記打球供給皿２３に持玉が少なくなったか或いは無くなった際に押圧操作されることで、前記残額表示器に遊技用残額が存在する場合に所定数量のパチンコ玉の貸出がパチンコ機２より実施される貸出ボタンスイッチや、遊技の終了時にて前記カードユニット３に受付中の会員カードやプリペイドカードを返却させるための返却ボタンスイッチ等が設けられており、これら各部は操作部１４内部に設けられている操作基板上に実装されているとともに、該操作基板とカードユニット３とが電気的に接続されている。
【００２４】
前記ガラス扉枠２２の後方には、遊技盤２６が着脱可能に取付けられている。また、遊技盤２６の前面には遊技領域２７が設けられている。この遊技領域２７の向かって右側の下方領域に「特別図柄」と呼ばれる複数種類の識別情報が可変表示される特図可変表示部２８と、その中央付近には、「演出図柄」と呼ばれる複数種類の識別情報が可変表示されるとともに演出映像が表示される演出表示部２９と、「普通図柄」と呼ばれる複数種類の識別情報が可変表示される可変表示装置３０とが設けられている。また遊技盤２６には、複数の入賞口４４や通過ゲート３１、始動入賞口３４、可変入賞球装置３６が設けられているとともに、遊技領域２７の下部には、入賞しなかった打込玉を回収するアウト口４６が形成されている。
【００２５】
前記打球操作ノブ２５の操作によって揺動されるハンマー（図示略）によって発射された打玉は、打球レールを通って遊技領域２７に入り、その後、遊技領域２７を流下していく。この際、発射勢いが弱すぎて前記遊技領域２７に達しなかったパチンコ玉は、環流経路（図示略）を通じて前記余剰玉受皿２４に環流されるようになっている。
【００２６】
また、前記遊技領域２７に打ち込まれた打込玉が通過ゲート３１を通過すると、可変表示装置３０に停止表示されている普通図柄が可変開始する。
【００２７】
可変表示装置３０の可変表示動作後の表示結果が予め定められた特定の表示結果（たとえば７）となった場合に、始動入賞口３４に設けられた可動片３５が所定時間開成して遊技者にとって有利な状態となる。
【００２８】
また、始動入賞口３４にパチンコ玉が入賞すると、特図可変表示部２８において全特別図柄が可変表示（変動表示）を開始するとともに、演出表示部２９において演出表示が開始される。そして、その後、特図可変表示部２８における特別図柄が停止し、その停止表示結果が予め定められた特定の表示態様となった場合には、演出表示部２９における左、中、右の演出図柄の可変表示も停止し、その演出図柄の表示態様も予め定められた特定の表示態様（たとえば７７７）とされることで、特定遊技状態（大当り状態）が発生するとともに、大当り１信号が出力状態とされることで、該大当りの発生が外部に通知される。
【００２９】
このように大当り状態が発生した場合には、可変入賞球装置３６に設けられた開閉板４０が開成して遊技者にとって有利な第１の状態となる。この第１の状態は、所定期間（たとえば３０秒間）の経過または打玉の所定個数（たとえば１０個）の入賞のうちいずれか早い方の条件が成立することにより終了し、その後、遊技者にとって不利な第２の状態となる。
【００３０】
そして該第１の状態となっている可変入賞球装置３６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００３１】
前記特図可変表示部２８の表示結果並びに演出可変表示部２９の演出図柄の表示結果が予め定められた大当り図柄の組合せで停止表示されたときには前述したように大当りが発生するが、これら大当り図柄に停止表示される以前の状態において、リーチ状態が発生する場合がある。
【００３２】
特図可変表示部２８並びに演出可変表示部２９で可変表示された特別図柄並びに演出図柄が所定の確率変動図柄の種類に一致した図柄の組合せで停止表示されたときには、前記繰返し継続制御による「大当り」の終了後に、再度大当りとなる確率が通常の確率状態よりも高い確率状態となる確率変動状態となるようになっており、これら確率変動図柄での大当りを通常の大当りと区別して「確変大当り」と呼称し、これら確変大当り終了後における確率変動状態中において、大当り２信号が出力状態とされるとともに、時短信号が非出力状態とされることで、該確率変動状態の発生が外部に通知される。
【００３３】
また、特図可変表示部２８並びに演出可変表示部２９で可変表示された特別図柄並びに演出図柄が所定の確率変動図柄以外の図柄の組合せで停止表示されたときには、前記繰返し継続制御による「大当り」の終了後に、特図可変表示部２８並びに演出可変表示部２９で可変表示が所定回数に達するか或いは次の大当りが発生するまでの間、特図可変表示部２８における特別図柄および演出可変表示部２９における演出図柄の可変表示時間（変動時間）が通常遊技状態よりも短縮される時短状態となるようになっており、これら時短状態中において、大当り２信号が出力状態とされるとともに、時短信号も出力状態とされることで、該時短状態の発生が外部に通知される。
【００３４】
本実施例のパチンコ機２には、これら各信号を外部出力するための図示しない情報出力基板が搭載されており、該情報出力基板と呼び出しランプ装置２００とが、信号ケーブル９（図４参照）を介して接続されており、情報出力基板からは、大当り１信号、大当り２信号、時短信号、演出終了信号、始動入賞信号、賞球信号からなる外部出力信号が、信号ケーブル９を介して呼び出しランプ装置２００に出力される。
【００３５】
ここで、大当り１信号は大当り状態の期間中において出力状態とされる信号であり、大当り２信号は大当り状態、確変状態、時短状態のいずれの期間中においても出力状態とされる信号であり、時短信号は時短状態の期間中においてのみ出力状態とされる信号であり、始動入賞信号は、始動入賞口３４への始動入賞が検出されたときに出力される所定幅のパルス信号であり、演出終了信号は、特図可変表示部２８の表示結果が全て導出表示されて可変表示が終了した際に出力される所定幅のパルス信号であり、賞球信号は、所定玉数（本実施例では１０玉）が払い出される毎に出力される所定幅のパルス信号である。
【００３６】
尚、信号ケーブル９の一部は、パチンコ機２の下方に、パチンコ機２において遊技に使用されたパチンコ玉を計数するために設けられているアウト球計数器１６（図２参照）にも接続されており、アウト球計数器１６において所定球数（本実施例では１０玉）のアウト玉（打込玉）数が計数される毎に所定時間幅のパルスとして出力されるアウト玉計数信号が、該信号ケーブル９を介して呼び出しランプ装置２００に出力される。
【００３７】
次に、本実施例に用いた呼び出しランプ装置２００について説明すると、本実施例の呼び出しランプ装置２００は、図２並びに図３に示すように、遊技島１の側面上部位置に開閉可能に設けられているランプ板に取付けられる表示ユニット２０９と、該表示ユニット２０９と別体とされ、接続ケーブル２７１にて表示ユニット２０９と接続された制御基板２７０並びに地上波デジタル放送送信ユニット２５６を内在する制御ユニット３００とから構成されている。
【００３８】
この本実施例に用いた表示ユニット２０９の構成は図３に示すように、基体２８０と該基体２８０の上部を覆うカバー体２５０とから成る筐体内に、表示基板２６０が収容された構成とされており、前記カバー体２５０は、基体２８０の両側端部位置に立設された係合爪部２８１が、カバー体２５０の側面に形成された係合孔２５４と係合することにより一体化されるようになっていて、図中の２８２は、前記表示基板２６０の四隅をねじ固定するための柱状突起である。
【００３９】
前記カバー体２５０の前面には、前記表示基板２６０上に実装された液晶表示装置２６６の前面が外部より目視可能なように開口２５１が形成されている。また、該開口２５１の外周における下方近傍には、遊技者が操作可能とされた入力ボタン２５５ａ〜ｄと、対応するリモコン（図示せず）からの赤外線を透過する受信窓２５７と、が形成され、前記表示基板２６０の上面２６０ａには、前記入力ボタン２５５ａ〜ｄに対応する入力スイッチ２６２ａ〜ｄと、前記リモコンよりの赤外線信号を受信する受信ユニット２６５と、が実装されている。
【００４０】
また、表示基板２６０の上面２６０ａにおける入力スイッチ２６２ａ〜ｄの下方側（入力スイッチと反対側）には、複数の四角状のパッチアンテナ部２５８が、横一列状にほぼ等間隔にて配置された板状のアンテナモジュール２５９が、表示基板２６０の上面２６０ａに形成された保持片に嵌合されることで、表示基板２６０上に立設されている。
【００４１】
尚、表示基板２６０の上面２６０ａに設けられた２つの保持片の内、呼び出しランプ装置２００が対応するパチンコ機２に接続されているカードユニット３に対して、該パチンコ機２の反対側に設置される隣接するパチンコ機２に接続されているカードユニット３に該当する側に対応する保持片（つまり、図面に向かって右側の保持片）には、該隣接するパチンコ機２に接続されているカードユニット３に、アンテナモジュール２５９から出力される電波が到達しないように規制する金属製の遮蔽版２６８が固設されている。
【００４２】
そして、該アンテナモジュール２５９の入力スイッチ２６２ａ〜ｄ側の面における端部位置は、同軸ケーブル２６９を介して制御ユニット３００に搭載されている地上波デジタル放送送信ユニット２５６に接続されており、該地上波デジタル放送送信ユニット２５６から出力された放送波が、同軸ケーブル２６９を通じてアンテナモジュール２５９に印加されて、該アンテナモジュール２５９によって指向性が付与された電波が、表示ユニット２０９の下方の所定領域（図６参照）に対して送出されるようになっている。
【００４３】
また、カバー体２５０の左右両側には、透明樹脂材にて形成された報知ランプカバー部２５０ａが形成され、前記表示基板２６０の上面２６０ａには、各色の発光が可能なＬＥＤモジュール２６７が左右対称に装着されており、これら報知ランプカバー部２５０ａとＬＥＤモジュール２６７とにより報知ランプが形成されている。
【００４４】
この表示基板２６０に実装された液晶表示装置２６６は、平面ディスプレイである後述の液晶（ＬＣＤ）パネル２６３がカバー体２５０の開口２５１に臨むように配置されて表示画面２６１が形成され、該表示画面２６１には、該呼び出しランプ装置２００が接続されているパチンコ機２の大当り回数や始動（スタート）回数や連荘回数、リーチ回数、リーチ履歴等の各種の遊技情報が表示されるとともに、該表示画面２６１の遊技者側となる下方表示領域には、図２７に示すように前記入力ボタン２５５ａ〜ｄにそれぞれ対応する入力メニューが、各入力ボタン２５５ａ〜ｄに臨むそれぞれの位置に表示されるようになっている。
【００４５】
この本実施例に用いたＬＣＤパネル２６３は、フルカラー表示が可能なドットマトリックスＬＣＤパネルを用いており、各種の文字や数字やグラフ等を、多種の表示色にて表示できるようになっている。
【００４６】
このように本実施例では、表示画面２６１を形成する表示パネルとしてドットマトリックスＬＣＤパネルを使用しているが、本発明はこれに限定されるものではなく、これら表示画面２６１を、例えば、ＥＬパネルや、ＬＥＤパネルや、蛍光管表示装置や、セグメント表示器としても良い。
【００４７】
また、該ＬＣＤパネル２６３の下部には、ＥＬバックライト２９５が配置され、該ＥＬバックライト２９５に所定の高周波電源を供給するドライバ回路２９４を接続することにより面発光し、前記ＬＣＤパネル２６３を下方より照光するようになっており、前記ＬＣＤパネル２６３およびＥＬバックライト２９５とは、表示基板２６０に設置される基台２９８上に配置され、該ＬＣＤパネル２６３の前面を覆う透明保護部材としてのポリカーボネート板２９０に設けられた係合突起２９１が前記基台２９８の４角に設けられた係合溝と係合することにより、ＬＣＤパネル２６３及びＥＬバックライト２９５が挟持された形にて一体化されており、このように係合突起２９１を外すことによりポリカーボネート板２９０が容易に着脱できるようになっている。尚、ドライバ回路２９４は接続ポート２７２（図４参照）を介して制御マイコン２７９に接続され、制御マイコン２７９によりＥＬバックライト２９５の点灯が制御される。
【００４８】
このＬＣＤパネル２６３は、表示基板２６０の下面２６０ｂに実装されたＬＣＤドライバ２６４並びに接続ポート２７２（図４参照）を介して制御マイコン２７９に接続され、該制御マイコン２７９より出力される表示データに基づく表示がＬＣＤパネル２６３に表示されるようになっている。
【００４９】
また、該制御マイコン２７９には前記入力スイッチ２６２ａ〜ｄが接続ポート２７２を介して接続されており、入力ボタン２５５ａ〜ｄが操作され入力スイッチ２６２ａ〜ｄからのオン信号が入力されると、前記制御マイコン２７９において、各画面での各入力スイッチ２６２ａ〜ｄに該当する処理が実施される。
【００５０】
また、前記受信ユニット２６５は、店員等により操作されるリモコン（図示せず）より送信される赤外線信号、例えば「決定（ＯＫ）」や、「不可（ＮＧ）」等に対応する所定信号を受信し、該受信信号を所定のデータ列に変換して後述する制御マイコン２７９に出力することで、該制御マイコン２７９が前記リモコンにて選択操作された「決定（ＯＫ）」や、「不可（ＮＧ）」等の操作内容を把握できるようになっている。
【００５１】
また、表示基板２６４の下面２６０ｂには、ＬＥＤモジュール２６７の点灯や消灯や点灯色等の点灯制御を行う点灯制御回路２６８が実装されており、該点灯制御回路２６８も接続ポート２７２（図４参照）を介して制御マイコン２７９に接続されていて、該制御マイコン２７９の指示データに基づいて点灯制御回路２６８が各ＬＥＤモジュール２６７を個別に点灯制御することで、制御マイコン２７９が左右各色の点灯や点灯色や消灯を制御することができる。尚、本実施例では、制御マイコン２７９は、各ＬＥＤモジュール２６７の点灯や消灯、並びに繰り返しタイミング等の状態を示す所定フォーマットの点灯制御データを点灯制御回路２６８に出力することで、点灯制御回路２６８が該点灯制御データに合致した点灯色の点灯や消灯を実施する。
【００５２】
これら表示ユニット２０９に設けられている、ＬＣＤドライバ２６４、点灯制御回路２６８、ドライバ回路２９４、入力スイッチ２６２ａ〜ｄと、受信ユニット２６５とは、図３に示すように、表示基板２６０の下面２６０ｂより導出され、前記基体２８０の略中央部に形成された開口２８３を通じて外部に引き出された接続ケーブル２７１により前記制御基板２７０に接続されている。
【００５３】
そして、この制御基板２７０には、図４に示すように、前記表示ユニット２０９に設けられている各種のデバイスや回路との各種信号の授受を実施するための接続ポート２７２や、当該遊技場のホールコンピュータ１３０（図1参照）との双方向のデータ通信を実施する通信部２７４と、呼び出しランプ装置２００の表示動作や後述する各種の制御を行うためのプログラムが記憶され、該プログラムにより各種の制御を行う制御マイコン（ＭＰＵ）２７９と、対応するパチンコ機２における各種の台データが記憶される遊技情報テーブル（図１８）や、各種の設定データやコンテンツサーバ１５０より逐次配信される台データ情報等を記憶するための不揮発性のフラッシュメモリ２７６と、制御マイコン（ＭＰＵ）２７９が実施する各種の制御処理における記憶に使用されるＲＡＭ２７５と、該呼び出しランプ装置２００における初期設定の入力を行うためのディップスイッチ２７７と、その時点に時刻情報やカレンダ情報や計時情報を出力するリアルタイムクロック（ＲＴＣ）２７３とが設けられている。
【００５４】
尚、制御基板２７０は、電源から入力される交流電源を直流の動作電源に変換して当該制御基板２７０や表示ユニット２０９に供給する電源回路や、制御マイコン（ＭＰＵ）２７９に動作クロックを供給する動作クロック発生回路や、制御マイコン（ＭＰＵ）２７９をリセットするためのリセット回路等を含む。
【００５５】
更に制御基板２７０には、図４に示すように、端子１〜７の７本の入力端子を有する信号入力部２７８と、２つの信号入出力ポート２７８ｅ、２７８ｆとを有する信号入出力部２７８’が設けられており、信号入力部２７８の端子１〜７対して、大当り１信号、大当り２信号、時短信号、演出終了信号、始動入賞信号、賞球信号、アウト玉計数信号が順番に割り当てられており、各信号線が対応する入力端子に接続されることで、これら各信号の端子１〜７への入力が検出されて信号検出に応じた検出出力が制御マイコン（ＭＰＵ）２７９に出力され、制御マイコン（ＭＰＵ）２７９が、これら７種類の信号の出力状況を識別できるようになっている。
【００５６】
つまり、本実施例の呼び出しランプ装置２００の信号入力部２７８には、情報配信装置となる呼び出しランプ装置２００が対応するパチンコ機２に関する遊技機関連情報であって、該パチンコ機２における遊技に伴い発生する遊技情報が入力されており、該信号入力部２７８を備える呼び出しランプ装置２００によって、本発明の遊技情報入力手段並びに遊技機関連情報入力手段が形成されている。
【００５７】
一方、信号入出力ポート２７８ｅ、２７８ｆには、隣接する呼び出しランプ装置２００の各信号入出力ポート２７８ｅ、２７８ｆが接続されて、遊技島１の一面に設置されている全呼び出しランプ装置２００が接続されており、これら信号入出力ポート２７８ｅ、２７８ｆからは、大当りの発生時において、互いに接続されている遊技島１の一面の呼び出しランプ装置２００同士が連携して順次点灯状態となるランニング点灯が実施されるように、ランニング信号出力処理においてランニング信号が、信号入出力ポート２７８ｅ、２７８ｆの双方（つまり左右両方）から出力されるとともに、隣接する呼び出しランプ装置２００からランニング信号の入力があったときには、該ランニング信号の入力が検出されて信号検出に応じた出力が制御マイコン（ＭＰＵ）２７９に出力されることで、制御マイコン（ＭＰＵ）２７９が割込実施するランニング点灯処理において、全ＬＥＤモジュール２６７が１回点灯されるとともに、ランニング信号の入力側と反対側（終端設定が有るときは入力側）の信号入出力ポート２７８ｅ、２７８ｆにランニング信号が出力される。
【００５８】
また、本実施例の制御基板２７０には、前述のようにディップスイッチ２７７が実装されており、該ディップスイッチ２７７においては、ランニング信号を出力する回数、つまり、接続された各呼び出しランプ装置２００にて連携してランニング点灯するランニング回数を設定できるようになっており、「０」に設定すれば、ランニング信号の出力が禁止されることで、ランニング点灯は実施されない。
【００５９】
また、該ディップスイッチ２７７において、当該呼び出しランプ装置２００が、接続される呼び出しランプ装置２００の終端の呼び出しランプ装置２００であるか否かの終端設定が可能とされており、該終端を設定することで、前述のように、ランニング信号の入力側と同じ側の信号入出力ポート２７８ｅ、２７８ｆにランニング信号が出力され、該終端を設定しないこと（デフォルト）で、ランニング信号の入力側と反対側の信号入出力ポート２７８ｅ、２７８ｆにランニング信号が出力される。
【００６０】
制御マイコン（ＭＰＵ）２７９は、フラッシュメモリ２７６に記憶されたプログラムに従って各種の処理を実行する。具体的には、営業時間帯において信号入力部２７８に入力される各種の信号に基づいて後述の遊技情報テーブルにおける台データを更新、集計する処理や、該遊技情報テーブルにおける台データを含む所定フォーマットの送信データ列をホールコンピュータ１３０に対して送信する送信データ列送信処理や、遊技情報テーブルのデータやこれらのデータから算出されたデータを表示画面２６１に表示出力する出力処理、コンテンツサーバ１５０から送信されてきた送信設定情報を更新記憶する処理、送信設定情報に基づいて地上波デジタル放送波を送信する後述する送信処理や、隣接する呼び出しランプ装置２００に対してランニング信号の出力を実施するランニング点灯処理などを実行する。
【００６１】
フラッシュメモリ２７６に記憶されている設定データの内、地上波デジタル放送波による送信に係わる送信設定情報、具体的には、図１４に示すコンテンツサーバ１５０における配信情報設定画面にて設定された設定内容に基づく送信設定情報が、営業開始前において各呼び出しランプ装置２００の起動後において、後述するコンテンツサーバ１５０より配信されて、更新記憶される。
【００６２】
また、本実施例のＲＡＭ２７５に記憶されている遊技情報テーブルには、図１８に示すように、本日を含む３日間の遊技情報、つまり、本日データ、前日データ、前々日データが記憶されている。尚、前日データ、前々日データは、フラッシュメモリ２７６にも記憶されているが、これら前日データ、前々日データを表示する際に、フラッシュメモリ２７６から読み出すよりも高速に処理できるようにするために、本実施例では、予めフラッシュメモリ２７６より読み出した前日データ、前々日データをＲＡＭ２７５に記憶されている遊技情報テーブルに記憶しておくようにしている。
【００６３】
この本実施例の遊技情報テーブルには、図１８に示すように、端子１〜端子３の入力状態に基づく現在の遊技状態（本日のみ）と、最新の遊技状態データ（左のビットから順に端子１〜端子３の入力状態、０：ＬＯＷ／未接続、１：ＨＩＧＨ、本日のみ）並びに前回の遊技状態データ（最新の遊技状態データに更新される前の遊技状態データ、本日のみ）、営業開始時点からの総打込玉数、総賞球数、差玉数（総打込玉数−総賞球数）、総スタート回数、大当り状態の発生が識別される毎にリセットされて大当りの発生後からのスタート回数である当り後スタート回数、営業開始時点からの大当りの発生回数である大当り回数、営業開始時点からの確変状態の発生回数である確変回数と、営業開始時点からの時短状態の発生回数である時短回数と、通常遊技状態において発生した大当りから次に通常遊技状態となるまでに発生した大当りの回数である連荘回数からなる遊技情報が格納されており、これら遊技情報は、信号入力部２７８に入力される各種の信号に基づいて最新の情報に更新される。
【００６４】
そして、これら遊技情報テーブルにおいて集計、管理されている本日の台データは、図１９に示すように、その先頭に台データを含む送信データ列であることを示す特定のデータヘッダと、当該呼び出しランプ装置２００の装置ＩＤと、対応するパチンコ機２の台番号とが付与された所定フォーマットの送信データ列として、ホールコンピュータ１３０からの送信要求の受信に応じて（遊技状態の変更時には、その時点で）送信される。尚、図１９のＥＣＣは、エラー訂正用コードである。
【００６５】
また、制御基板２７０には、図３に示すように、地上波デジタル放送信号を生成する地上波デジタル放送送信ユニット２５６が実装されている。
【００６６】
この地上波デジタル放送送信ユニット２５６は、図５に示すように、デジタル信号処理により送信するための各セグメントデータ（本実施例では、簡易動画セグメントのみ）を生成するバックエンド部２５３と、該セグメントデータを多重化、変調により放送電波に乗調するフロントエンド部２５２とから主に構成され、バックエンド部２５３が制御基板２７０に実装されている制御マイコン（ＭＰＵ）２７９に接続されている。
【００６７】
また、フロントエンド部２５２には、前述の同軸ケーブル２６９を介して、アンテナモジュール２５９に接続されており、フロントエンド部２５２により生成、増幅された放送電波（放送波）がアンテナモジュール２５９より送出される。
【００６８】
尚、この際の増幅によりアンテナモジュール２５９より送出される送信電力としては、放送免許等が必要ない、微弱電波強度の送信電力とされており、その到達範囲としては、アンテナモジュール２５９から２メートル程度とされる。
【００６９】
バックエンド部２５３は、図５に示すように、画像処理回路２３０と、メモリ２３１と、制御回路２３２と、多重信号生成処理回路２３３とから主に構成されている。
【００７０】
画像処理回路２３０は、制御マイコン（ＭＰＵ）２７９から入力される、送信用の映像データを、多重信号生成処理回路２３３が取り扱い可能な圧縮映像データ（Ｈ.２６４／ＭＰＥＧ−４  ＡＶＣ）に圧縮変換するものである。
【００７１】
制御回路２３２は、地上波デジタル放送送信ユニット２５６の全体の制御を実施するものであり、該制御回路２３２は、図５に示すように、バックエンド部２５３に設けられた多重信号復元処理回路２３２、画像処理回路２３０と接続されて、これらの制御を実施するとともに、メモリ２３１とローカルに接続されていて、多重信号復元処理回路２３２、画像処理回路２３０における各処理において該メモリ２３１を利用（例えばバッファリング）できるように制御する。
【００７２】
また、制御回路２３２は、制御マイコン（ＭＰＵ）２７９にも直接接続されており、制御マイコン（ＭＰＵ）２７９から、データ放送用のデータ（例えば後述するメニューページデータ）や送信チャンネル等の情報を含む制御データが入力されるようになっており、データ放送用のデータを多重信号生成処理回路２３３が取り扱い可能なデータ形式に変換して多重信号復元処理回路２３２に出力するとともに、フロントエンド部２５２を構成する送信変換回路２４３に対して、送信チャンネルの指定する送信局信号を出力する。
【００７３】
多重信号生成処理回路２３３は、画像処理回路２３０並びに制御回路２３２から出力されてきた圧縮映像データやデータ放送用のデータを、インターリーブ処理並びにＣＲＣ等の冗長データを付加するＣＲＣ付加処理を実施して簡易動画セグメントデータを生成し、該生成した簡易動画セグメントデータをフロントエンド部２５２の位相変換部２３７に出力する。
【００７４】
この位相変換部２３７においては、所定の位相変調（本実施例ではＱＰＳＫ）により、所定回転量の位相回転が施されて、複素デジタル信号が生成される。
【００７５】
そして、この簡易動画セグメントの複素デジタル信号は、ＩＦＦＴ回路２４１によって、１シンボル分が逆フーリエ変換され、有効シンボル期間信号が生成される。この有効シンボル期間信号は信号複製挿入部２４２によって、各シンボル毎に、ガードインターバル信号が複製されて挿入される。さらに、パイロットや制御データ等が挿入され、ベースバンドのＯＦＤＭ信号が生成される。このＯＦＤＭ信号は、直交変調部２４４によって直交変調され、Ｄ／Ａ変換部２４５によってＤ／Ａ変換され、アップコンバータ２４６によって送信周波数に周波数変換される。これにより、ＩＳＤＢ−Ｔ方式のデジタル放送信号が、アンテナモジュール２５９から出力される。
【００７６】
このデジタル放送信号（デジタル放送波）を出力する本実施例のアンテナモジュール２５９は、図３に示すように、送出する電波に指向性を付与するための、横一列状にほぼ等間隔にて配置された複数の電極（パッチ）から成るパッチアンテナ部２５８と、これら各パッチアンテナ部２５８に送信電波を分配する図示しない分配器とを有している。
【００７７】
この本実施例のアンテナモジュール２５９の指向性は、図６に示すように、パッチアンテナ部２５８の配列方向、すなわち表示ユニット２０９の横方向のビーム幅が、絞られた直線偏波とされており、対応するパチンコ機２の前面の所定領域、具体的には、該パチンコ機２において遊技する遊技者が着座している椅子の近傍領域に、送信電波が集中して送出されるとともに、サイドロープの存在により、対応するパチンコ機２に接続されているカードユニット３の突出部３０５に内蔵されている内部アンテナ３４４にも、送信電波が到達するようになっている。
【００７８】
但し、これらサイドロープによる送信電波は、対応するパチンコ機２に接続されているカードユニット３のみではなく、隣接するパチンコ機２に接続されているカードユニット３にも到達してしまうことになるので、これを防止するために、本実施例では、図３に示すように、アンテナモジュール２５９が嵌合される保持片の内、対応するパチンコ機２に接続されているカードユニット３が位置する側と反対側となる保持片に、金属製の遮蔽版２６８を固設することにより、図６に示すように、隣接するパチンコ機２に接続されているカードユニット３側のサイドロープの電波強度を低減させることで、隣接するパチンコ機２に接続されているカードユニット３への電波到達を規制している。
【００７９】
つまり、本実施例のアンテナモジュール２５９は、地上波デジタル放送送信ユニット２５６（地上波デジタル放送信号送信手段）から送信される簡易動画セグメント信号の送信範囲を、対応するパチンコ機２近傍の所定領域に規制しており、該アンテナモジュール２５９によって本発明における規制手段が形成されている。
【００８０】
次に、本実施例に用いた島対応送信機４について説明すると、島対応送信機４は、図７に示すように、薄型で四角箱状の装置であり、その前面となる１側面には、稼働を点灯により報知する動作ＬＥＤ４０６と、送信アンテナ４００に対してデジタル放送波を送出する同軸ケーブル４０９が接続される同軸コネクタ４１０が設けられている。
【００８１】
この島対応送信機４の内部には、図８に示すように、該島対応送信機４の動作制御を実施する制御マイコン（ＭＰＵ）４０１と、該制御マイコン（ＭＰＵ）４０１が実施する各種処理に使用されるＲＡＭ４０２と、制御マイコン（ＭＰＵ）４０１が実施する各種処理の処理内容が記述された処理プログラムや送信に関する送信設定情報等が記憶されたフラッシュメモリ４０３と、前述の動作ＬＥＤ４０６と、コンテンツサーバ１５０との双方向のデータ通信を実施する通信部４０５と、地上波デジタル放送送信ユニット４０４とが搭載された基板が内蔵されている。
【００８２】
尚、フラッシュメモリ４０３に記憶されている送信設定情報、具体的には、図１５に示すコンテンツサーバ１５０における配信情報設定画面にて設定された設定内容に基づく送信設定情報が、営業開始前においてコンテンツサーバ１５０より配信されて、更新記憶される。
【００８３】
本実施例の島対応送信機４に用いた地上波デジタル放送送信ユニット４０４は、呼び出しランプ装置２００の制御ユニット３００に用いた地上波デジタル放送送信ユニット２５６と同様のものを使用しており、バックエンド部２５３とフロントエンド部２５２とから構成されていて、バックエンド部２５３が制御マイコン（ＭＰＵ）４０１に接続され、該制御マイコン（ＭＰＵ）４０１から、送信用の映像データ並びにデータ放送用のデータ（無い場合もある）が入力されるとともに、フロントエンド部２５２が前述の同軸コネクタ４１０並びに同軸ケーブル４０９を介して送信アンテナ４００に接続され、フロントエンド部２５２にて多重化、変調、増幅された地上波デジタル放送波が送信アンテナ４００から送信される。尚、呼び出しランプ装置２００における地上波デジタル放送送信ユニット２５６は、制御マイコン２７９より音声データが出力されないことにより、音声データが無音とされたワンセグ放送を送信するのに対し、島対応送信機４に用いた地上波デジタル放送送信ユニット４０４は、制御マイコン（ＭＰＵ）４０１から、後述するように、機種紹介ビデオ映像の音声データが出力されるので、これら音声データを含む地上波デジタル放送（ワンセグ放送）を送信できるように、音声データをワンセグ放送にて使用可能なＭＰＥＧ−２、ＡＡＣに変換して多重信号生成処理回路に出力する音声処理回路を備えたものとされている。
【００８４】
この送信アンテナ４００は、図７に示すように、断面視正方形状で横方向に長い四角箱状で合成樹脂から成る筐体４１１内に、前述した表示ユニット２０９に内蔵されているアンテナモジュール２５９と同一のアンテナモジュール４１２、つまり、横一列状にほぼ等間隔にて配置された複数の電極（パッチ）から成るパッチアンテナ部と、これら各パッチアンテナ部に送信電波を分配する分配器とを有するアンテナモジュール４１２の平面が、送信アンテナ４００の前面４００ａとほぼ平行となるように内蔵されている。
【００８５】
そして図９に示すように、島対応送信機４が遊技島１の端部位置であって、遊技島１の天板上面に設置されるともに、送信アンテナ４００が、該送信アンテナ４００を所定角度範囲において回動自在に保持するホルダ４１０により、遊技島１の端面上部位置に設置され、該送信アンテナ４００の近傍を通過する遊技者が、送信アンテナ４００から送信される地上波デジタル放送波を受信できるように、適宜な角度に、送信アンテナ４００の角度が調整される。
【００８６】
すなわち、本実施例では、図１０に示すように、各遊技島１には、その両端部に島の長手方向に向けて地上波デジタル放送波を送信する島対応送信機４と送信アンテナ４００が、当該遊技島１に設置されたパチンコ機２に対応する態様にて設置され、パチンコ機２が並設される遊技島１の長手方向の側面には、パチンコ機２の前面近傍領域に向けて地上波デジタル放送波を送信する呼び出しランプ装置２００が、当該パチンコ機２に１対１に対応する態様にて設置されることで、図中の波線に示すように、地上波デジタル放送波が送信されるようになっている。
【００８７】
次に、本実施例のカードユニット３について、図２、図１１、図１２に基づいて以下に説明すると、本実施例のカードユニット３の前面には、図２に示すように、多機能ランプ３０１等の各種表示部と、紙幣を挿入するための紙幣挿入口３０２、装置前面より装置前方側に突出形成された突出部３０５、会員カードやプリペイドカードを挿入するためのカード挿入口３０９が設けられている。
【００８８】
カードユニット３の前面に設けられたカード挿入口３０９は、カードユニット３の下方位置に内蔵されるカードリーダライタ３２７（図１１参照）のカードスロット（図示略）に連設されており、このカード挿入口３０９を介してプリペイドカードや会員カードをカードスロットに挿入可能とされている。
【００８９】
この本実施例に使用されるプリペイドカード並びに会員カードには、種々のデータを記憶するための不揮発性メモリと、これら記録情報の書き換えや読み出しを実施するとともに、外部のリーダライタ装置との非接触通信を実施する制御部とを有するＩＣチップを有するＩＣカードを使用しており、これらプリペイドカード並びに会員カードには、個々のカードを識別可能なカードＩＤ、具体的には、プリペイドカードにはＪＧＶＣで始まるカードＩＤが、会員カードには、ＪＧＫＣ始まる会員カードＩＤが予め記憶されていて、その種別がカードＩＤから識別可能とされているとともに、カードユニット３において遊技用残額を特定可能な遊技用残額データ等の各種データが記憶されている。尚、本実施例のプリペイドカードは、遊技場内に設置された図示しない発行機にて、購入、発行される。
【００９０】
カードユニット３の前面には、前方に突出する態様にて突出部３０５が設けられている。該突出部３０５において、遊技者と対向する面には、図２に示すように、各種情報を表示可能な本発明における表示手段となる表示部３１２と、メインメニュー画面を表示させるためのメニューボタン３１６と、地上波デジタル放送（ワンセグ放送）によるテレビ映像を表示させるためのテレビボタン３１８と、会員カードを受付けた場合において、該会員カードの会員ＩＤにより特定される貯玉数を用いた再プレイ遊技を実施するための再プレイボタン３１９と、再プレイボタン３１９の操作が有効であることを報知するための再プレイ表示部３２０と、テレビ音声が出力されるスピーカ３１５やイアホン端子３１５’が設けられており、該表示部３１２の表面には、表示部３１２に表示された各表示項目を指触により入力可能とするための透明タッチパネル３１４が設けられている。
【００９１】
また、該突出部３０５内部には、表示部３１２を成す後述する液晶表示器３１３や各ボタンに対応するスイッチや、スピーカ３１５やイアホン端子３１５’が実装されたユニット基板３５０が格納されているとともに、該突出部３０５の突出方向（装置前方方向）の先端部位置には、接続されているパチンコ機２に対応して設けられている呼び出しランプ装置２００から送信される地上波デジタル放送電波（ワンセグ放送）を受信するための内蔵アンテナ３４４が内設されている（図２、図１１参照）
【００９２】
また、カードユニット３内の上部位置には、前記紙幣挿入口３０２に連設され、該紙幣挿入口３０２に投入された紙幣を取り込んでその真贋や紙幣種別の識別を実施し、その識別結果を装置略中央部に設けられている後述する制御ユニット３２８に出力する紙幣識別ユニット３２１が設けられており、該紙幣識別ユニット３２１にて各種紙幣（１万円、５千円、２千円、千円の各紙幣）の受付が可能とされている。
【００９３】
図１１は、本実施例のカードユニット３の構成を示すブロック図である。カードユニット３は、紙幣識別ユニット３２１と、前述のカードリーダライタ３２７と、前記表示制御基板３２９と、カードユニット３の各部の制御を制御プログラムにより実施して該カードユニット３の各種の機能を提供する制御ユニット３２８と、から主に構成されており、紙幣識別ユニット３２１、カードリーダライタ３２７及び表示制御基板３２９は制御ユニット３２８と接続されて各種データの送受が可能とされている。
【００９４】
制御ユニット３２８は、前述したようにパチンコ玉の貸出に伴う各種の信号の授受を、パチンコ機２に設けられている図示しない賞球制御基板との間において実施するために、パチンコ機２と直接接続されている。
【００９５】
本実施例の制御ユニット３２８は、制御プログラムを実行可能な中央演算処理回路（ＣＰＵ）３２８ａや、カードリーダライタ３２７に受付け中のプリペイドカードや会員カードの遊技用残額や、該会員カードの所有者である会員の貯蓄玉数やポイント数や会員情報等の各種のデータを記憶可能なＲＡＭ３２８ｂや、中央演算処理回路（ＣＰＵ）３２８ａが実行する制御プログラムや、呼び出しランプ装置２００から送信される地上波デジタル放送電波（ワンセグ放送）にて受信した表示変更情報等の各種のデータを記憶可能なＥＥＰＲＯＭ３２８ｃや、その時点の時刻情報やカレンダ情報等を出力可能なリアルタイムクロック（ＲＴＣ）３２８ｄを含み、ＲＡＭ３２８ｂは図示しない電池によりバックアップされており、電源が遮断されても、所定期間において記憶されているデータが保持される。
【００９６】
カードリーダライタ３２７は、カード挿入口３０９から挿入される会員カード並びにプリペイドカードに記録されている（会員）カードＩＤや、会員ＩＤ（会員カードのみ）、遊技用残額データ等の記録情報の読み出し並びに書き込みを行う。
【００９７】
また、制御ユニット３２８には、前述したように、対応するパチンコ機２の操作部１４に設けられた残額表示器や、貸出ボタンの操作を検知する貸出ボタンスイッチや、受付け中の会員カードやプリペイドカードを返却させる際に操作される返却ボタンの操作を検知する返却ボタンスイッチが接続されている。
【００９８】
制御ユニット３２８は、突出部３０５に設けられている再プレイボタン３１９の操作による表示制御基板３２９からの再プレイ操作情報や紙幣識別ユニット３２１による貨幣識別情報、並びにカードリーダライタ３２７からのカード挿入情報、表示変更情報を受信可能な表示変更情報受信モードへ移行するモード変更操作等を受けて、制御ユニット３２８に接続されている前記多機能ランプ内に設けられたフルカラーＬＥＤ３０１ａ等の各ＬＥＤの点灯制御、カードリーダライタ３２７、表示制御基板３２９の制御、残額表示器の表示制御等、全体の動作制御、並びにカード挿入口３０９に挿入された会員カードやプリペイドカードの利用の可／不可を判別するカード受付け処理や、受付け中の会員カード或いはプリペイドカードから読み出した遊技用残額データ、若しくはＲＡＭ３２８ｂに記憶された遊技用残額データから特定される遊技用残額を使用した玉貸を行う貸出処理や、返却ボタンの操作により受付け中の会員カードやプリペイドカードの返却する返却処理や、受付け中の会員カードやプリペイドカードに残存する遊技用残額への貨幣投入による入金を行う入金処理や、貯玉数を用いた再プレイ処理、表示変更情報を受信して更新記憶する表示変更情報更新処理等の各種処理を実行する。
【００９９】
また、制御ユニット３２８は、対応するパチンコ機２の図示しない賞球制御基板と接続されており、該賞球制御基板との間において貸出処理、並びに再プレイ処理に伴う各種信号の送受が実施可能とされているとともに、通信部３３４並びにＨＵＢを介して、会員カードやプリペイドカードの残額等を管理する図示しない管理コンピュータや、会員に関する情報（貯玉を含む）を管理する会員管理コンピュータとデータ通信可能に接続されており、これらの各コンピュータと各種データの送受が可能とされている。
【０１００】
また、制御ユニット３２８に接続された表示制御基板３２９は、前記した表示部３１２を成す液晶表示器３１３や、透明タッチパネル３１４や、各種スイッチ類（メニューボタン３１６に対応するメニュースイッチ３１６ａ、テレビボタン３１８に対応するテレビスイッチ３１８ａ、再プレイボタン３１９に対応する再プレイスイッチ３１９ａ）や前述した再プレイ表示部３２０内に設けられたＬＥＤ３２０ａ等の電子部品が接続されている。
【０１０１】
本実施例の表示制御基板３２９には、液晶表示器３１３の表示駆動を行う表示駆動回路（図示略）や、前記透明タッチパネル３１４からの出力信号に基づいて押圧操作された位置を特定して該特定した入力位置情報を出力する入力位置検出回路（図示略）や、表示部３１２に表示する表示映像に関する処理を行うＶＤＰ（図示略）や、メニュー表示等に使用する画像データ等を記憶するＶＲＯＭ（図示略）や、表示部３１２に表示する表示データを一時記憶するＶＲＡＭ（図示略）や、制御ユニット３２８から独立して、各種スイッチ類やタッチパネル等の入力に伴う判断や処理を処理プログラムに基づいて実施するサブマイコン（図示略）等が実装されているとともに、図１１に示すように、テレビ音声を出力するためのアンプ回路やスピーカ３１５やイアホン端子３１５’を含む音声出力部３２３や、呼び出しランプ装置２００から送信される地上波デジタル放送（簡易動画セグメント（ワンセグ）放送）を受信するための地上波デジタル放送受信ユニット３４０が接続されている。
【０１０２】
この本実施例に用いた地上波デジタル放送受信ユニット３４０は、図１２に示すように、主に、放送電波を受信して多重化信号に変換するフロントエンド部３４２と、多重化信号に基づいてデジタル信号処理を行うバックエンド部３４１とから構成されており、フロントエンド部３４２に、突出部３０５に内蔵されている内部アンテナ３４４が接続されている。
【０１０３】
フロントエンド部３４２は、図１２に示すように、受信変換回路５０１と、フーリエ変換／ 等化回路５０２と、キャリア選択回路５０３と、受信同期処理回路５０４とから主に構成されている。
【０１０４】
受信変換回路５０１は、後述するバックエンドに設けられた制御回路５３２から出力される選局信号に基づき受信されたデジタル放送チャンネル＃k（ｋ＝１〜 Ｎ）のＯＦＤＭ（Orthogonal Frequency Division Multiplexing）信号を復調してフーリエ変換／ 等化回路５０２ に出力するものであり、ダウンコンバータ５１１と、Ａ／Ｄ変換部５１２と、直交復調部５１３とを備えている。
【０１０５】
ダウンコンバータ５１１は、受信されたＯＦＤＭ信号を中間周波数の信号（ＩＦ（ Intermediate Frequency）信号） に周波数変換するものである。また、Ａ／Ｄ変換部５１２ は、ＩＦ信号をＡ／Ｄ変換して、複素デジタルＩＦ信号として直交復調部５１３に出力するものである。
【０１０６】
直交復調部５１３は、複素デジタルＩＦ信号を直交復調してベースバンドＩ，Ｑ信号に変換して、フーリエ変換／ 等化回路５０２に出力するものである。
【０１０７】
受信同期処理回路５０４は、受信変換回路５０１が生成する複素デジタルＩＦ信号又はベースバンドＩ，Ｑ信号に基づいて、図示しない局部発振器用周波数の再生、サンプリングクロックの再生、シンボル同期の再生を行うものである。この受信同期処理回路５０４は、これらの再生した信号（ 再生同期信号） をフロントエンド部３４２内の受信変換回路５０１、フーリエ変換／ 等化回路５０２及びキャリア選択回路５０３へ供給する。
【０１０８】
フーリエ変換／ 等化回路５０２は、受信変換回路５０１から出力されたベースバンドＩ， Ｑ信号に、フーリエ変換、及び等化を行い、ＯＦＤＭ信号のキャリアごとの複素デジタル信号を出力するものであり、図１２に示すように、ＦＦＴ回路５２１と等化回路５２２とを備えている。
【０１０９】
ＦＦＴ回路５２１は、ベースバンドＩ，Ｑ信号中から有効シンボル期間信号を取り出して高速フーリエ変換（ＦＦＴ；Fast Fourier Transform）により、周波数領域のキャリアデータに変換して等化回路５２２に出力するものである。
【０１１０】
等化回路５２２は、ＦＦＴ回路５２１が出力するＯＦＤＭ信号の全キャリアの複素デジタルデータに基づいて、キャリア毎に等化を行い、キャリア毎の複素デジタル信号をキャリア選択回路５０３に出力するものである。
【０１１１】
そして、キャリア選択回路５０３においては、予め設定されている簡易動画セグメントに対応するキャリア（＃０セグメントキャリア）を選択して、バックエンド部３４１に出力する。
【０１１２】
バックエンド部３４１は、図１２に示すように、多重信号復元処理回路５３０と、画像処理回路５３１と、音声処理回路３４１と、制御回路５３２と、メモリ５３４とから主に構成されている。
【０１１３】
多重信号復元処理回路５３０は、フロントエンド部３４２から出力される簡易動画セグメントの複素デジタル信号を、簡易動画セグメントにおける変調方式（本実施例ではＱＰＳＫ）にて復調するとともに、復調して得た簡易動画セグメントデータを、逆インターリーブ並びにＣＲＣ等の冗長データに基づきエラー訂正して復元し、該復元した簡易動画セグメントデータ中に含まれる圧縮映像データ（Ｈ.２６４／ＭＰＥＧ−４  ＡＶＣ）を画像処理回路５３１に、圧縮音声データ（ＭＰＥＧ−２  ＡＡＣ、但し、呼び出しランプ装置２００からの送信波では無音データ）を音声処理回路５３３に、データ放送のデータ並びに放送局の識別情報等を含む制御情報を制御回路５３２に対して出力する。
【０１１４】
画像処理回路５３１は、多重信号復元処理回路５３０から出力される圧縮映像データ（Ｈ.２６４／ＭＰＥＧ−４  ＡＶＣ）を解凍して、表示制御基板３２９において、液晶表示器３１３への表示に使用可能な所定のデジタル映像データに変換するものであり、該変換されたデジタル映像データが表示制御基板３２９に出力される。
【０１１５】
音声処理回路５３３は、多重信号復元処理回路５３０から出力される圧縮音声データ（ＭＰＥＧ−２  ＡＡＣ）を解凍して、音声出力部３２３においてＤ／Ａ変換可能な所定形式のデジタル音声データに変換するものであり、該変換されたデジタル音声データが表示制御基板３２９に出力される。
【０１１６】
制御回路５３２は、地上波デジタル放送受信ユニット３４０の全体の制御を実施するものであり、該制御回路５３２は、図１２に示すように、バックエンド部３４１に設けられた多重信号復元処理回路５３０、画像処理回路５３１、音声処理回路５３３と接続されて、これらの制御を実施するとともに、メモリ５３４とローカルに接続されていて、多重信号復元処理回路５３０、画像処理回路５３１、音声処理回路５３３における各処理において該メモリ５３４を利用できるように制御する。
【０１１７】
また、制御回路５３２は、表示制御基板３２９にも直接接続されており、該表示制御基板３２９に対して、重信号復元処理回路５３０から出力されるデータ放送のデータ（データ放送データ）を送信する一方、該表示制御基板３２９からは、選局要求等の制御データを受信する。
【０１１８】
また、制御回路５３２は、図１２に示すように、フロントエンド部３４２の受信変換回路５０１にも接続されており、該受信変換回路５０１に、表示制御基板３２９からの選局要求に応じた選局信号を出力する。
【０１１９】
このように、本実施例のカードユニット３は、地上波デジタル放送受信ユニット３４０（バックエンド部３４１）から表示制御基板３２９に、受信した地上波デジタル放送に含まれるデータ放送データが出力されるようになっており、表示変更情報受信モード中において受信することにより表示制御基板３２９に出力されるデータ放送データである表示変更情報は、表示制御基板３２９から制御ユニット３２８に送信されて、制御ユニット３２８により、ＥＥＰＲＯＭ３２８ｃの表示変更情報が更新される。
【０１２０】
つまり、本実施例の情報表示装置となるカードユニット３は、地上波デジタル放送送信ユニット２５６（地上波デジタル放送信号送信手段）から送信される簡易動画セグメント信号を受信する内蔵アンテナ３４４およびフロントエンド３４２（地上波デジタル放送信号受信手段）と、該内蔵アンテナ３４４およびフロントエンド３４２にて受信した簡易動画セグメント信号を復調して表示変更情報のデータ（送信データ）に変換するバックエンド３４１（地上波デジタル放送信号復調手段）とを有しており、該バックエンド３４１（地上波デジタル放送信号復調手段）にて変換した表示変更情報に基づいて表示部３１２（表示手段）における表示情報である会員促進情報、単位表示、台データ単位表示を変更している。
【０１２１】
また、地上波デジタル放送受信ユニット３４０（バックエンド部３４１）から表示制御基板３２９に出力された簡易動画セグメントのデジタル映像データは、テレビボタン３１８が操作されたテレビ映像表示モードであるときに、該デジタル映像データが該表示制御基板３２９に搭載されている前述のＶＤＰに入力されることで、テレビ映像が表示部３１２を構成する液晶表示器３１３に表示されることで、例えば、簡易動画セグメント（ワンセグ）の受信機能を有しない携帯電話機しか所持しない遊技者であっても、カードユニット３において、呼び出しランプ装置２００から送信される地上波デジタル放送（簡易動画セグメント（ワンセグ）放送）を視聴できるようになっている。
【０１２２】
次に、本実施例のコンテンツサーバ１５０について説明すると、図１３は、本実施例に用いたコンテンツサーバ１５０であり、コンテンツサーバ１５０は、コンピュータ内部にてデータの送受を行うデータバス１５１に、処理プログラムに従って演算を行い、コンテンツサーバ１５０を動作させるための処理を行うＣＰＵ（セントラルプロセッシングユニット）１５２、該ＣＰＵ１５２のワークメモリ等として使用されるＲＡＭ（ランダムアクセスメモリ）１５３、時間情報を出力するＲＴＣ（リアルタイムクロック）１５４、ハードディスク等からなる記憶装置１５５、キーボードやマウスからなる入力装置１５６、各種データや画面を表示する表示装置１５７、インターネット網１１９に接続された各種のコンピュータ端末とのデータ通信を実施する第１通信部１５８と、ハブ（ＨＵＢ）７並びに通信ケーブル８により形成されるＬＡＮにより接続された各呼び出しランプ装置２００や各島対応送信機４とのデータ通信を実施する第２通信部１５９とが接続された、比較的処理能力に優れたサーバコンピュータである。
【０１２３】
ＣＰＵ１５２は、記憶装置１５５に記憶された処理プログラムに従って各種の処理を実行する。具体的には、図１４や図１５に示す配信情報設定画面において設定された設定内容に基づく送信設定情報を、営業開始前に各呼び出しランプ装置２００や各島対応送信機４に対して送信する送信設定情報送信処理や、図１６に示す表示変更情報設定画面において設定された設定内容に基づく表示変更情報を、該表示変更情報設定画面において送信操作が実施されたときに、該表示変更情報設定画面にて指定された呼び出しランプ装置２００に対して送信する表示変更情報送信処理や、所定時間間隔毎に各呼び出しランプ装置２００が対応するパチンコ機２の台データをホールコンピュータ１３０から取得して、台データ情報を作成し、該作成した台データ情報を呼び出しランプ装置２００に送信する台データ情報送信処理等を実行する。
【０１２４】
記憶装置１５５には、図１３に示すように、ＣＰＵ１５２が実行する処理プログラムに加えて、配信情報番号並びに配信情報名に対応付けて、当該配信情報に関する設定内容が記憶されている配信情報テーブル（図１４や図１５の配信情報設定画面を参照）、各呼び出しランプ装置２００並びに島対応送信機４に固有に付与された送信機ＩＤに対応付けて、当該呼び出しランプ装置２００や島対応送信機４の設置情報や当該呼び出しランプ装置２００や島対応送信機４から送信する配信情報に関する情報が記憶されている送信機情報テーブル、各配信情報に対応するコンテンツデータ（ファイル）、ワゴンサービスの注文を受付けるための注文ページ等を含むワゴンサービス用データや、新台整理券を配信可能な対象日や整理券番号等の情報である新台整理券情報データ、当該遊技場に関する各種情報を提供するための遊技場サイトにおいて配信される各種ページデータから成る遊技場サイトデータ等が記憶されている。
【０１２５】
尚、コンテンツデータ（ファイル）やワゴンサービス用データ、遊技場サイトデータは、別途、予め更新する各データが記憶されたＣＤ−ＲＯＭ等に記憶媒体から読み取り入力されて更新されるとともに、新台整理券情報データの対象日や整理券番号等の情報は、図示しない新台整理券設定画面において入力、設定されることにより更新される。
【０１２６】
つまり、コンテンツサーバ１５０においては、本発明における遊技機関連情報となるコンテンツデータ（ファイル）がＣＤ−ＲＯＭ等に記憶媒体から読み取り入力されており、該コンテンツサーバ１５０によっても、本発明の遊技機関連情報入力手段が形成されている。
【０１２７】
また、コンテンツサーバ１５０においては、遊技者にとって有益となる有益情報である高設定台・甘釘台や、コーヒー無料券のコンテンツデータ（ファイル）がＣＤ−ＲＯＭ等に記憶媒体から読み取り入力され、新台整理券情報データが新台整理券設定画面において入力、設定されており、該コンテンツサーバ１５０によって本発明における有益情報入力手段が形成されている。
【０１２８】
本実施例の送信機情報テーブルは、図１７に示すように、遊技場内の各呼び出しランプ装置２００並びに島対応送信機４に固有に付与された送信機ＩＤ（呼び出しランプ装置２００はＹＳで始まるＩＤが、島対応送信機４はＳＳで始まるＩＤが付与される）に対応付けて、当該呼び出しランプ装置２００または島対応送信機４のローカルＩＰアドレスと、送信機種別（呼び出しランプ装置２００のように台対応の送信機である場合には「台対応」が、島対応送信機４のように島対応の送信機である場合には「島対応」が格納される）と、当該呼び出しランプ装置２００または島対応送信機４が設置されている島の島番号が格納される設置島と、当該呼び出しランプ装置２００または島対応送信機４が対応するパチンコ機２の台番号が格納される対応台番号と、その当日において、当該呼び出しランプ装置２００または島対応送信機４より無条件にて送信される配信情報の配信情報番号が格納される条件なし配信情報と、当該呼び出しランプ装置２００または島対応送信機４より所定条件が満たされたときにおいて送信される配信情報の配信情報番号が格納される条件付き配信情報と、送信に伴って送信を報知する配信情報の配信情報番号が格納される報知対象配信情報、の各項目が記憶されていて、各呼び出しランプ装置２００並びに島対応送信機４が、どの島に設置され、対応するパチンコ機２がどの台であるかとともに、その当日において各呼び出しランプ装置２００並びに島対応送信機４からどの配信情報が配信されるのかを特定できるようになっている。
【０１２９】
尚、本実施例の送信機情報テーブルは、前述したように、各呼び出しランプ装置２００並びに島対応送信機４に対して送信設定情報を送信する前に、１日毎に、条件なし配信情報、条件付き配信情報並びに報知対象配信情報の各項目のデータが、後述する配信情報テーブルの記憶情報に基づいて更新される。
【０１３０】
また、記憶装置１５５に記憶されている新台整理券情報データには、新台整理券を配信することのできる、整理券に基づく優先入場を実施する日付の情報（対象日）や、各対象日において使用できる整理券番号を特定可能な情報、つまり、配信に使用済みの整理券番号の情報や、新台整理券を遊技者の携帯電話機１００に配信する際に、携帯電話機１００から対象日等を受付けるために使用される受付けページデータ等が含まれている。
【０１３１】
また、記憶装置１５５に記憶されている遊技場サイトデータには、当該遊技場の遊技場サイトを構成する各ページデータが含まれており、インターネット網からの当該遊技場サイトのＵＲＬへのアクセスに応じて、該遊技場サイトデータ内の各ページデータが配信されるようになっている。
【０１３２】
本実施例の配信情報テーブルは、図１４や図１５の配信情報設定画面において表示されるように、各配信情報に順次付与された配信情報番号並びに当該配信情報の配信情報名に対応付けて、当該配信情報の送信を実施する期間、当該配信情報の送信を実施する配信条件、当該配信情報の送信を実施する送信機の範囲である対象範囲、配信に使用する当該配信情報の具体的なデータ（ファイル）名またはパスデータである配信情報データ、送信に伴う報知の有無（「０」は非報知、「１」は報知）である配信報知、送信に伴う報知において表示する報知メッセージである報知文、の各項目が記憶されている。
【０１３３】
これら配信情報テーブルへの配信情報の登録は、コンテンツサーバ１５０において所定操作を行うことにより表示装置１５７に表示される図１４並びに図１５に示す配信情報設定画面において各内容を入力した後、「登録」の選択入力部を選択入力することにより実施される。
【０１３４】
ここで、本実施例の配信情報設定画面について説明すると、配信情報設定画面には、図１４並びに図１５に示すように、既に配信情報テーブルに登録されている登録済みの各配信情報の内容が表示される配信情報テーブル表示エリアが、画面上部位置に設けられているとともに、該配信情報テーブル表示エリアの下方位置には、新たな配信情報の登録を実施する際に選択操作される「新規作成」の選択入力部と、既に配信情報テーブルに登録されて配信情報テーブル表示エリアに表示されている配信情報の内容を変更する際に選択操作される「変更」の選択入力部と、既に配信情報テーブルに登録されて配信情報テーブル表示エリアに表示されている配信情報を削除する際に選択操作される「削除」の選択入力部と、新規作成または変更の実施後に、該新規作成または変更した配信情報の内容を登録する際に選択操作される「登録」の選択入力部とが設けられているとともに、これら各選択入力部の下方には、配信情報の各内容を設定するための配信情報設定エリアが設けられている。
【０１３５】
この本実施例の配信情報設定エリア内には、図１４並びに図１５に示すように、配信情報名を入力するための配信情報名入力部と、当該配信情報を配信する期間を指定するための期間指定部と、当該配信情報を配信する配信条件の有無並びに配信条件の内容を指定するための配信条件指定部と、当該配信情報を送信する送信機を指定する対象送信機指定部と、当該配信情報の送信に伴う報知を実施するか否かを指定する配信報知指定部と、当該配信情報の種別並びに配信する配信情報のコンテンツデータ（映像データ）へのパスを指定する配信情報データ指定部とが設けられている。
【０１３６】
本実施例の配信条件指定部には、図１４並びに図１５に示すように、配信条件の「有り」、「無し」に対応してチェックボックスが設けられ、これら配信条件の「有り」、「無し」を排他選択可能とされているとともに、配信条件の「有り」の表示に関連して、「大当り回数」、「スタート回数」、「連荘回数」のパチンコ機２の遊技において発生する遊技関連情報である台データに関する各項目と、これら各項目に対応してその回数を入力するための回数入力部とが設けられており、回数を入力することで該入力された回数に対応する項目が、選択した配信条件として認識されるようになっている。
【０１３７】
また、これら台データに関する各項目以外に、「その他」の項目と、台データ以外の具体的な配信条件、例えば時刻等の内容を選択可能な条件選択部が設けられており、台データ以外の配信条件も指定できるようになっている。
【０１３８】
つまり、本実施例のコンテンツサーバ１５０の配信情報設定画面においては、本実施例における有益情報となる、後述する高設定台・甘釘台、コーヒー無料券、新台整理券の各配信情報を地上波デジタル放送送信ユニット２５６（地上波デジタル放送信号送信手段）により送信する、配信条件（送信条件）として、スタート回数１０００回、連荘回数１０回、連荘回数１２回等の対応するパチンコ機２の遊技情報に関する送信条件を設定可能とされており、該配信情報設定画面において配信条件（送信条件）を受付けるコンテンツサーバ１５０によって本発明における有益情報送信条件設定手段が形成されている。
【０１３９】
本実施例の対象送信機指定部には、図１４並びに図１５に示すように、台対応の送信機、つまり、呼び出しランプ装置２００を指定するための「台対応」の項目と、島対応の送信機である島対応送信機４を指定するための「島対応」の項目と、これら各項目に対応するチェックボックスとが設けられており、台対応の送信機である呼び出しランプ装置２００のみを対象送信機として指定することや、島対応の送信機である島対応送信機４のみを対象送信機として指定することや、台対応の送信機である呼び出しランプ装置２００と島対応の送信機である島対応送信機４の双方の送信機を対象送信機として指定することもできるようになっている。
【０１４０】
そして、「台対応」の項目に対応付けて、全ての呼び出しランプ装置２００を指定するための「全台」の項目並びにチェックボックスと、遊技島単位で呼び出しランプ装置２００を指定するための「島指定」の項目並びにチェックボックスと、対応する台番号または台番号の範囲により呼び出しランプ装置２００を指定するための「台指定」の項目並びにチェックボックスとが設けられているとともに、「島指定」の項目に対応して島番号を選択指定する島番号選択部が、更に、「台指定」の項目に対応して、台番号の範囲または１つの台番号を指定するための台番号入力部が設けられており、配信情報の送信対象とする呼び出しランプ装置２００を指定できるようになっている。
【０１４１】
また、同様に、「島対応」の項目に対応付けて、全ての遊技島１に設置されている島対応送信機４を指定するための「全島」の項目並びにチェックボックスと、遊技島毎に島対応送信機４を指定するための「島指定」の項目とチェックボックス並びに島番号を選択指定する島番号選択部とが設けられており、配信情報の送信対象とする島対応送信機４を指定できるようになっている。
【０１４２】
本実施例の配信報知指定部には、図１４並びに図１５に示すように、配信報知の「しない」、「する」に対応してチェックボックスが設けられ、「する」に対応するチェックボックスを選択したことにより入力が有効とされる報知文入力部が設けられており、配信情報の送信に伴う報知を実施する際に呼び出しランプ装置２００において表示する報知文を設定できるようになっている。
【０１４３】
つまり、本実施例のコンテンツサーバ１５０の配信情報設定画面においては、呼び出しランプ装置２００が配信する有益情報となる条件付き配信情報について、当該条件付き配信情報に基づく配信情報データ（送信データ）を送信するときに報知を実施するか否かを設定可能とされており、該配信情報設定画面において報知の実施の有無を受付けるコンテンツサーバ１５０によって本発明における報知設定手段が形成されている。
【０１４４】
本実施例の配信情報データ指定部には、配信情報を台データ情報とするための「台データ」の項目並びにチェックボックスと、配信情報を新台整理券とするための「新台整理券」の項目並びにチェックボックスと、任意のコンテンツデータ（映像データ）を配信する配信情報とするための「その他」の項目とチェックボックス並びに当該コンテンツデータ（映像データ）を指定するためのコンテンツデータ指定部と「参照」の選択入力部とが設けられており、該「参照」を選択入力することで表示されるディレクトリ構成がアイコン化されたファイル参照画面において配信に使用するコンテンツデータ（映像データ）のデータファイルを選択することで、該選択したデータファイルのパスデータがコンテンツデータ指定部のウインドウ内に自動入力されるようになっている。
【０１４５】
ここで、具体的に、配信情報設定画面における操作について、例えば、既に登録されている配信情報の変更や削除する場合の操作について説明すると、既に登録されている配信情報の変更や削除を実施したい場合においては、配信情報テーブル表示エリアに変更または削除したい配信情報を表示させた後、該配信情報の配信情報Ｎｏを選択することで、図１４に示すように、該選択した配信情報Ｎｏの表示が反転表示されて該配信情報Ｎｏが選択されたことが報知されるとともに、配信情報設定エリア内の各指定部に、該選択した配信情報Ｎｏに対応する配信情報に対して設定されている各指定部の内容が、選択された状態として表示される。
【０１４６】
この状態で、例えば、配信期間を延長したい場合であれば、期間指定部における期間終了年月日の内容を、延長する期限の年月日に変更した後、「登録」の選択入力部を選択入力することで、該配信情報に対応する期間の情報が更新される。
【０１４７】
また、新規に配信情報、例えば、配信情報番号０８に示すように、その当日における高設定台、甘釘台を、営業開始前等において登録する場合には、予め高設定台、甘釘台を遊技者に伝える映像を、収録してファイル化して指定可能としておき、その後、配信設定画面における「新規作成」の選択入力部を選択入力する。
【０１４８】
この「新規作成」の選択入力に応じて未登録の配信情報番号の内、最も若い番号が配信情報テーブル表示エリアに反転表示されるとともに、配信情報設定エリア内が初期化された状態とされる。
【０１４９】
そして、この初期化された配信情報設定エリア内の配信情報名に「高設定台、甘釘台」の名称を入力するとともに、該配信情報を配信する期間（通常はその当日のみで、開始日をその当日に、終了日もその当日に設定する）を指定し、配信条件における「あり」のチェックボックスをチェックするとともに、スタート回数に対応する回数入力部に「１０００」を入力する。
【０１５０】
さらに、対象送信機指定部において、「台対応」に対応するチェックボックスをチェックするとともに、島指定に対応するチェックボックスをチェックし、指定したい島番号の組み合わせを選択指定する。
【０１５１】
次に、配信報知指定部において、「する」に対応するチェックボックスをチェックするとともに、報知文入力部に「チャンス到来、本日の高設定台、甘釘台の情報がワンセグ送信されます。お見逃しなく！！」の報知メッセージを入力する。
【０１５２】
次に、配信情報データ指定部において、「その他」のチェックボックスをチェックするとともに、「参照」の選択入力部を選択入力して、初めに収録してファイル化することで指定可能とした高設定台、甘釘台を遊技者に伝える映像データのファイルを選択指定した後、「登録」の選択入力部を選択入力することで、これら配信情報設定エリアにて指定した各内容が、配信情報テーブルに登録されるとともに、配信情報テーブル表示エリアに表示される。
【０１５３】
また、島対応送信機４から送信する配信情報を登録する場合も同様とされており、その登録の流れを図１５に基づいて説明すると、例えば、島内に設置されているパチンコ機２の機種紹介の情報を配信する場合には、図１４の場合と同様に、「新規作成」の選択入力部を選択入力する。
【０１５４】
尚、この場合も、配信する機種紹介の映像コンテンツ、例えば、パチンコ機２のメーカーから提供される紹介ビデオ等の映像ファイルを指定可能できるように、特定のフォルダ等に格納しておく。
【０１５５】
そして、この初期化された配信情報設定エリア内の配信情報名に「島内機種紹介」の名称を入力するとともに、該配信情報を配信する期間、例えば当該遊技島の機種が、イベント対象とされてきるイベントの開催期間等を指定し、配信条件における「なし」のチェックボックスをチェックする。
【０１５６】
さらに、対象送信機指定部において、「島対応」に対応するチェックボックスをチェックするとともに、島指定に対応するチェックボックスをチェックし、指定したい島番号、すなわち、当該機種のパチンコ機２が設置されている遊技島１の島番号を選択指定する。
【０１５７】
次に、配信報知指定部において、「しない」に対応するチェックボックスをチェックするとともに、配信情報データ指定部において、「その他」のチェックボックスをチェックし、「参照」の選択入力部を選択入力して、前述した特定のフォルダ等に格納しておいた紹介ビデオ等の映像ファイルを選択指定した後、「登録」の選択入力部を選択入力することで、これら配信情報設定エリアにて指定した各内容が、配信情報テーブルに登録されるとともに、配信情報テーブル表示エリアに表示される。
【０１５８】
また、本実施例のコンテンツサーバ１５０においては、各呼び出しランプ装置２００からカードユニット３に対して、地上波デジタル放送電波（ワンセグ放送）のデータ放送データとして送信される、該カードユニット３の表示部３１２において表示される会員促進画面データを含む会員促進情報等の、表示部３１２において表示される情報を変更するための変更情報データや、カードユニット３が移設等により、対応する遊技機がパチンコ機２からスロットマシンに変更された場合のように、カードユニット３の表示部３１２において貸出や再プレイにおいて使用される単位を「…玉」から「…メダル」、使用される用語を「確変大当り」から「ビッグボーナス」等のように変更するためのフォーム変更設定データ等から成る表示変更情報の内容や送信操作を実施できるようになっている。
【０１５９】
これら表示変更情報の内容設定や送信操作は、コンテンツサーバ１５０において所定操作を行うことにより表示装置１５７に表示される、図１６に示す表示変更情報設定画面において実施できるようになっている。
【０１６０】
ここで、本実施例の表示変更情報設定画面について説明すると、表示変更情報設定画面には図１６に示すように、表示変更情報を送信する呼び出しランプ装置２００を指定するための「対象範囲」の項目と、送信する変更情報データを選択指定するための「変更情報データ」の項目と、送信するフォーム変更設定データを選択指定するための「フォーム変更設定データ」の項目と、「送信」並びに「キャンセル」の選択入力部とが設けられている。
【０１６１】
この「対象範囲」の項目に対応付けて、全ての呼び出しランプ装置２００を指定するための「全台」の項目並びにチェックボックスと、遊技島単位で呼び出しランプ装置２００を指定するための「島指定」の項目並びにチェックボックスと、対応する台番号または台番号の範囲により呼び出しランプ装置２００を指定するための「台指定」の項目並びにチェックボックスとが設けられているとともに、「島指定」の項目に対応して島番号を選択指定する島番号選択部が、更に、「台指定」の項目に対応して、台番号の範囲または１つの台番号を指定するための台番号入力部が設けられており、表示変更情報の送信対象とする呼び出しランプ装置２００を指定できるようになっている。
【０１６２】
「変更情報データ」の項目には、該変更情報データを送信する際にチェックするチェックボックスと、送信する変更情報データを指定するための変更情報データ指定部と「参照」の選択入力部とが設けられており、該「参照」を選択入力することで表示されるディレクトリ構成がアイコン化されたファイル参照画面において配信に使用する変更情報データのデータファイルを選択することで、該選択したデータファイルのパスデータが変更情報データ指定部のウインドウ内に自動入力されるようになっている。
【０１６３】
「フォーム変更設定データ」の項目にも、該フォーム変更設定データを送信する際にチェックするチェックボックスと、送信するフォーム変更設定データを指定するためのフォーム変更設定データ指定部と「参照」の選択入力部とが設けられており、該「参照」を選択入力することで表示されるディレクトリ構成がアイコン化されたファイル参照画面において配信に使用するフォーム変更設定データのデータファイルを選択することで、該選択したデータファイルのパスデータがフォーム変更設定データ指定部のウインドウ内に自動入力されるようになっている。
【０１６４】
つまり、本実施例のコンテンツサーバ１５０の表示変更情報設定画面においては、カードユニット３（情報表示装置）における表示情報を変更させるための表示変更情報（変更情報）となる変更情報データやフォーム変更設定データを指定して入力可能とされており、該表示変更情報設定画面を表示するコンテンツサーバ１５０によって本発明における変更情報入力手段が形成されている。
【０１６５】
このように、本実施例の表示変更情報設定画面において設定される表示変更情報が、呼び出しランプ装置２００からカードユニット３に対して送信される流れについて、図２３に基づいて以下に説明する。
【０１６６】
まず、営業開始前等に表示変更情報を送信する場合には、該表示変更情報を受信する各カードユニット３のモードを、所定のモード変更操作、例えば、テレビボタン３１８の長押し操作を実施して、表示変更情報受信モードへ移行させておく。
【０１６７】
そして、上記のように、表示変更情報設定画面において表示変更情報を受信するカードユニット３に対して地上波デジタル放送（ワンセグ放送）を送信する呼び出しランプ装置２００、例えば、全てのカードユニット３を表示変更情報による変更対象とする場合には、「対象範囲」に対応する「全台」のチェックボックスをチェックするとともに、表示変更情報の内容、例えば、会員促進画面データを含む会員促進情報を表示変更情報の内容とする場合には、「変更情報データ」の項目に対応するチェックボックスをチェックし、変更情報データ指定部に対応する「参照」の選択入力部を選択入力して、送信する変更情報データ、例えば、会員促進画面データを含む会員促進情報のデータファイルを選択した後、表示変更情報設定画面の下方に設けられている「送信」の選択入力部を選択入力する。
【０１６８】
この「送信」の選択入力部を選択入力に応じてコンテンツサーバ１５０は、表示変更情報設定画面の対象範囲の項目において指定された内容から、該表示変更情報の送信を行う送信対象の台対応送信機である呼び出しランプ装置２００を特定（例えば全呼び出しランプ装置２００）する。
【０１６９】
そして、該特定した表示変更情報の送信を行う呼び出しランプ装置２００に対して、表示変更情報設定画面において表示変更情報の内容として指定された会員促進情報のファイルデータを含む表示変更情報を生成し、該生成した表示変更情報を送信する。
【０１７０】
つまり、本発明における送信データ生成手段となるコンテンツサーバ１５０は、表示変更情報設定画面（変更情報入力手段）にて指定することにより入力された変更情報である会員促進情報のファイルデータに基づく表示変更情報（送信データ）を生成している。
【０１７１】
この表示変更情報の受信に応じて、呼び出しランプ装置２００（制御マイコン２７９）は、その時点において、地上波デジタル放送（ワンセグ放送）を送信中であれば、その送信を一次中止し、受信した表示変更情報に含まれる会員促進情報のファイルデータを、データ放送のデータとして、地上波デジタル放送送信ユニット２５６に出力することで、アンテナモジュール２５９から、該会員促進情報のファイルデータを、データ放送のデータとして含む地上波デジタル放送（ワンセグ放送）が送信される。
【０１７２】
つまり、本実施例の地上波デジタル放送送信ユニット２５６（地上波デジタル放送信号送信手段）は、コンテンツサーバ１５０（送信データ生成手段）により生成されて送信されてきた表示変更情報（変更情報）に基づく送信データを送信している。
【０１７３】
そして、該送信された会員促進情報のファイルデータを、データ放送のデータとして含む地上波デジタル放送（ワンセグ放送）は、各呼び出しランプ装置２００が対応するパチンコ機２に接続されているカードユニット３において受信、復調されて会員促進情報のファイルデータが、表示変更情報として制御ユニット３２８に出力されることで、該制御ユニット３２８によりＥＥＰＲＯＭ３２８ｃに更新記憶される。
【０１７４】
そして、該更新記憶の完了に応じて制御ユニット３２８は、更新完了を示す報知メッセージを表示部３１２に表示して、表示変更情報の更新が正しく実行されたことを所定時間に亘り報知した後、表示変更情報受信モードから通常モードに移行する。
【０１７５】
尚、表示部３１２に更新完了を示す報知メッセージが表示されない更新対象のカードユニット３が存在する場合には、そのカードユニット３が接続されているパチンコ機２に対応する呼び出しランプ装置２００を表示変更情報設定画面の「対象範囲」において再度指定して、表示変更情報設定画面の下方に設けられている「送信」の選択入力部を選択入力することで、再度、表示変更情報を送信するようにすれば良い。
【０１７６】
このようにすることで、カードユニット３の表示部３１２には、このように呼び出しランプ装置２００から送信される地上波デジタル放送（ワンセグ放送）により受信した表示変更情報である最新の会員促進情報に基づく会員促進画面、例えば、会員となることにより付与される特典情報を含む会員促進画面が、表示部３１２に適宜、表示されるようになる。
【０１７７】
また、本実施例のコンテンツサーバ１５０においては、各営業日の営業開始前の所定時間（各呼び出しランプ装置２００並びに各島対応送信機４の起動後）において、図２２に示す送信設定情報送信処理が実施されることで、各呼び出しランプ装置２００並びに各島対応送信機４に対して、送信設定情報が生成されて送信される。
【０１７８】
この送信設定情報送信処理に先だってコンテンツサーバ１５０は、送信機情報テーブルの条件なし配信情報、条件付き配信情報並びに報知対象配信情報の各項目のデータを、配信情報テーブルの記憶情報に基づいて更新する。
【０１７９】
具体的には、送信機情報テーブルにおける条件なし配信情報、条件付き配信情報並びに報知対象配信情報の各項目のデータを全て一旦消去するとともに、配信情報テーブルに登録されている各配信情報毎に、当該配信情報の配信期間にその当日が該当するか否か、該当する場合には、配信条件が有るか否か、配信報知のデータが「１」であるか否かをそれぞれ特定するとともに、該配信情報が対応する対象範囲に該当する送信機を特定する。
【０１８０】
そして、特定した送信機の送信機ＩＤに対応する配信情報に、当該配信情報の配信情報番号を登録していく。具体的には、例えば、当該配信情報が、配信条件が無い場合であって配信報知のデータが「０」である場合には、送信機情報テーブルの条件なし配信情報の項目のみに当該配信情報の配信情報番号を登録し、当該配信情報が、配信条件が有る場合であって配信報知のデータが「０」である場合には、送信機情報テーブルの条件付き配信情報の項目のみに当該配信情報の配信情報番号を登録し、当該配信情報が、配信条件が無い場合であって配信報知のデータが「１」である場合には、送信機情報テーブルの条件なし配信情報の項目と報知対象配信情報の項目とに、当該配信情報の配信情報番号を登録し、当該配信情報が、配信条件が有る場合であって配信報知のデータが「１」である場合には、送信機情報テーブルの条件付き配信情報の項目と報知対象配信情報の項目とに、当該配信情報の配信情報番号を登録する。
【０１８１】
このようにして、配信情報テーブルに記憶されている全ての配信情報に関して、送信機情報テーブルへの登録を行うことで送信機情報テーブルを更新する。
【０１８２】
そして、これら更新後の送信機情報テーブルに基づいてコンテンツサーバ１５０は、まず、送信機情報テーブルに記憶されている各送信機ＩＤの内、１つの送信機ＩＤを特定し、該特定した送信機ＩＤに対応する条件なし配信情報の項目、本発明における有益情報となる条件付き配信情報の項目、報知対象配信情報の項目とに登録されている各配信情報番号の情報と、コンテンツデータから抽出した、これらの項目のいずれかに登録されている配信情報番号の配信情報データと、条件付き配信情報の項目に登録されている配信情報番号の配信条件（配信情報テーブルから抽出）と、報知対象配信情報の項目に登録されている配信情報番号の報知文（配信情報テーブルから抽出）と、携帯電話機１００においてメニュー画面（図２６（ｂ）参照）を表示するためのメニュー画面データ（メニューページデータ）とから成る送信設定情報を生成する送信設定情報生成処理を実施する。
【０１８３】
つまり、本実施例の送信設定情報生成処理においては、ＣＤ−ＲＯＭ等から読み取り入力された遊技機関連情報並びに有益情報となる各コンテンツデータ（ファイル）に基づき、携帯電話機１００に配信する送信データとなる送信設定情報を生成しており、該送信設定情報生成処理を実施するコンテンツサーバ１５０によっても、送信データ生成手段が形成されている。
【０１８４】
具体的に、本実施例のメニュー画面データ（メニューページデータ）は、前記にて特定した送信機ＩＤに対応する条件なし配信情報の項目に登録されている各配信情報番号に基づいて、これら各条件なし配信情報のそれぞれに対応するメニュー選択部と、遊技場のホームページに対応するメニュー選択部とを有するとともに、各配信情報に対応するメニュー選択部がコンテンツサーバ１５０のＵＲＬと各送信機ＩＤと当該配信情報番号との組み合わせによるメニュー識別ＵＲＬにリンクされ、遊技場のホームページに対応するメニュー選択部が遊技場のホームページのＵＲＬにリンクされたページデータ（図２６（ｂ）参照）が生成されることで、該メニュー選択部が選択されることで、リンクされたメニュー識別ＵＲＬ若しくは遊技場ホームページのＵＲＬにＨＴＴＰリクエストが送信されるようになっている。
【０１８５】
つまり、本実施例の送信設定情報生成処理においては、呼び出しランプ装置２００が送信する各情報となる各条件なし配信情報に対応するメニュー項目を含むメニュー画面を、配信情報データを含む地上波デジタル放送（ワンセグ放送）を受信した携帯電話機１００において表示させるためのメニューページデータ（送信データ）を生成している。
【０１８６】
次に、コンテンツサーバ１５０は、送信機情報テーブルにおいて、特定した送信機ＩＤに対応して記憶されているローカルＩＰアドレスを読み出して、該ローカルＩＰアドレスに対して、当該送信機ＩＤの送信機が起動済みであるか否かを確認するための送信設定情報更新要求を送信する。
【０１８７】
この送信設定情報更新要求の受信に応じて、該送信機ＩＤの送信機（呼び出しランプ装置２００または島対応送信機４）は、更新応答を返信する。この更新応答の受信により、コンテンツサーバ１５０は、送信設定情報を送信しようとしている送信機（呼び出しランプ装置２００または島対応送信機４）が、既に起動済みであって、送信設定情報を受信可能な状態にあることを確認する。尚、更新応答が所定時間内に返信されない場合には、所定回数において再度、送信設定情報更新要求を送信し、それでも更新応答がない場合には、次の送信機ＩＤに対する送信設定情報の送信処理へ移行する。
【０１８８】
そして、該更新応答の受信に基づいてコンテンツサーバ１５０は、前述の送信設定情報生成処理にて生成した送信設定情報を送信した後、次の送信機ＩＤに対する送信設定情報の送信処理へ移行し、順次、各送信機ＩＤの送信機に対して送信設定情報を送信する。
【０１８９】
尚、この際、条件なし配信情報の項目、条件付き配信情報の項目、報知対象配信情報の項目とに登録されている各配信情報番号が同一である、つまり、送信設定情報が同一となる送信機のローカルＩＰアドレスを、送信機情報テーブルにおいて、全て特定し、該特定したローカルＩＰアドレスに対して同時に送信設定情報を送信するようにしても良い。
【０１９０】
そして、該送信された送信設定情報を受信した送信機（呼び出しランプ装置２００または島対応送信機４）は、呼び出しランプ装置２００においてはフラッシュメモリ２７６、島対応送信機４においてはフラッシュメモリ４０３に記憶されている送信設定情報を、受信した送信設定情報に更新記憶する。
【０１９１】
尚、本実施例では、メニュー画面データ（メニューページデータ）を、上記した送信設定情報生成処理において、個々に生成するようにしているが、本発明はこれに限定されるものではなく、予め作成しておいた各呼び出しランプ装置２００毎のメニューページデータをコンテンツサーバ１５０において、ＣＤ−ＲＯＭ等の記憶媒体等から読み取り入力して各呼び出しランプ装置２００に対して送信するようにしても良い。
【０１９２】
また、本実施例ではこれらメニュー画面データ（メニューページデータ）を、上記した送信設定情報生成処理において生成して、該生成したメニュー画面データ（メニューページデータ）を送信設定情報に含めて、各呼び出しランプ装置２００に対して送信するようにしているが、本発明はこれに限定されるものではなく、これらメニュー画面データ（メニューページデータ）を含まない送信設定情報を各呼び出しランプ装置２００に対して送信し、これら送信設定情報を受信した呼び出しランプ装置２００側においてメニュー画面データ（メニューページデータ）を生成するようにしても良い。
【０１９３】
このように、メニュー画面データ（メニューページデータ）を呼び出しランプ装置２００側において生成する場合におけるメニュー画面データ生成処理の内容としては、具体的には、コンテンツサーバ１５０から送信されるメニュー画面データ（メニューページデータ）を含まない送信設定情報に基づいて、条件なし配信情報を全て特定し、これら特定した各条件なし配信情報に対応するメニュー項目を選択可能なページデータを生成すれば良い。
【０１９４】
次に、本実施例に用いたホールコンピュータ１３０について説明すると、ホールコンピュータ１３０は、前述したように、ハブ（ＨＵＢ）７並びに通信ケーブル８により形成されるＬＡＮを介して各呼び出しランプ装置２００に接続されており、これら各呼び出しランプ装置２００から送信されてくる、各呼び出しランプ装置２００が対応するパチンコ機２の台データ（本日）を含む送信データ列を受信することにより、遊技場に設置された各パチンコ機２の台データを、過去一週間に亘り記憶、管理している。
【０１９５】
具体的にホールコンピュータ１３０には、図２０に例示する台別遊技情報テーブル（本日）や、台別遊技情報テーブル（前日）、台別遊技情報テーブル（前々日）…の一週間分の台別遊技情報テーブルが記憶されているとともに、図２１に例示する台別履歴テーブル（本日）や、台別履歴テーブル（前日）、台別履歴テーブル（前々日）…の一週間分の台別履歴テーブルが記憶されている。
【０１９６】
これら台別遊技情報テーブルには、図２０に示すように、パチンコ機２の台番号に対応付けて、当該パチンコ機２の機種名並びに機種コードと、設置島の島番号と設置面（ａまたはｂ）、その時点の遊技状態、最新の遊技状態データ（左のビットから順に端子１〜端子３の入力状態、０：ＬＯＷ、１：ＨＩＧＨ）、前回の遊技状態データ（最新の遊技状態データに更新される前の遊技状態データ）、営業開始時点からのアウト玉計数信号に基づき集計された総打込玉数、営業開始時点からの賞球信号に基づき集計された総賞球数、差玉数（総打込玉数−総賞球数）、営業開始時点からの演出終了信号に基づき集計された総スタート回数、最新の大当り後からの演出終了信号に基づき集計された当り後スタート回数、営業開始時点からの大当りの発生回数である大当り回数、営業開始時点からの確変回数、営業開始時点からの時短回数、通常遊技状態において発生した大当りから次に通常遊技状態となるまでにおいて発生した大当り回数である連荘回数からなる遊技情報と、が格納されており、これら遊技情報は、送信データ列に含まれる台データに基づいて最新の情報に更新されることで、各パチンコ機２の台データが集中管理されている。
【０１９７】
また、台別履歴テーブルには、図２１に示すように、パチンコ機２の台番号毎に、各遊技状態（通常：通常遊技状態、大当り：大当り状態、確変：確率変動状態、時短：時短状態）、当該遊技状態の発生時刻、当該遊技状態の発生時点の総スタート回数、当該遊技状態の期間中のスタート回数、当該遊技状態の発生時点の総打込玉数、当該遊技状態の期間中の打込玉数、当該遊技状態の発生時点の総賞球数、当該遊技状態の期間中の賞球数、当該遊技状態の期間中の差玉（賞球数−打込玉数）、からなる状態別データが、当該パチンコ機２にて発生した順に格納されるようになっており、これら状態別データのうち最新の遊技状態の状態別データが、送信データ列から特定されるデータに基づいて最新の情報に更新されることで、各パチンコ機２の遊技状態の推移状況が集中管理されるている。
【０１９８】
尚、このようにしてホールコンピュータ１３０にて管理されている各パチンコ機２の遊技情報や、これら遊技情報に基づく各種のランキング情報は、コンテンツサーバ１５０からの送信要求に応じてホールコンピュータ１３０からコンテンツサーバ１５０に送信されるようになっている。
【０１９９】
ここで、本実施例のコンテンツサーバ１５０にて実施される、これらホールコンピュータ１３０において管理されている遊技情報に基づいて、各呼び出しランプ装置２００において利用される台データ情報を生成する台データ情報生成処理について、図２４に基づき説明すると、コンテンツサーバ１５０は、営業時間中において図２４に示す台データ情報生成処理を継続して実施することで、各パチンコ機２に対応して設置されている呼び出しランプ装置２００に対して、逐次台データ情報を生成して配信する。
【０２００】
具体的には、まず、台データ情報の生成対象とする台番号、つまり、台データ情報を送信する呼び出しランプ装置２００が対応するパチンコ機２の台番号を含む、遊技情報送信要求をホールコンピュータ１３０に送信して、当該台番号の本日の台データを含む１週間の遊技情報（台データ）を取得するとともに、当該台番号の機種の大当りランキングや連荘ランキングのランキング情報を取得する（Ｓｄ１）。
【０２０１】
そして、該取得した遊技情報（台データ）に基づいて、一週間以内に発生した大当りにおいて、各連荘（２連荘、３連荘、…）が発生した割合、具体的には、一週間以内に発生した２連荘以上（単独にて発生した大当りを除く）の大当りが発生した回数に占める、各各連荘（２連荘、３連荘、…）が発生した回数の割合（％）を、各連荘（２連荘、３連荘、…）を横軸に、割合（％）を縦軸とする棒状グラフにて表した大当り継続グラフを、各営業日の大当り回数に基づいて生成する、具体的には、各連荘（２連荘、３連荘、…）毎に、棒状グラフが生成されていく過程の映像コンテンツを生成するとともに、ホールコンピュータ１３０から取得した同一機種における大当りランキングや連荘ランキングのコンテンツを含む台データ情報を生成する（Ｓｄ２）。
【０２０２】
そして、該生成した台データ情報を、当該台番号のパチンコ機２に対応して設置されている呼び出しランプ装置２００のローカルＩＰアドレスを、送信機情報テーブルに基づいて特定し、該特定したローカルＩＰアドレスに対し、つまり、当該台データ情報に該当する台番号のパチンコ機２に対応して設置されている呼び出しランプ装置２００に対して送信した後（Ｓｄ４）、次の生成対象の台番号を特定して（Ｓｄ５）、Ｓｄ１に戻って、Ｓｄ１〜Ｓｄ５の処理を実施することで、遊技場内に設置された全てのパチンコ機２の台データ情報が、各パチンコ機２に対応して設置されている呼び出しランプ装置２００に、逐次送信されることになる。
【０２０３】
そして、これら台データ情報を受信した呼び出しランプ装置２００は、該受信した台データ情報をフラッシュメモリ２７６に更新記憶し、該更新記憶した台データ情報を、配信情報である「台データ」の配信情報データとして利用する。
【０２０４】
つまり、本実施例の台データ情報生成処理においては、本発明の遊技機関連情報入力手段となる呼び出しランプ装置２００の信号入力部２７８に入力された遊技機関連情報となる遊技情報によるホールコンピュータ１３０の台データに基づき、携帯電話機１００（携帯情報端末）に配信する送信データとなる台データ情報を生成しており、該台データ情報生成処理を実施するコンテンツサーバ１５０によって、本発明の送信データ生成手段が構成されている。
【０２０５】
尚、本実施例では、比較的長い期間となる１週間の週間大当り継続グラフや、複数の遊技機である同一機種の台データに基づく大当りや連荘ランキング情報を含む台データ情報を生成するために、これら台データ情報をコンテンツサーバ側において生成して、各呼び出しランプ装置２００に逐次配信するようにしているが、本発明はこれに限定されるものではなく、これら台データ情報を、例えば、呼び出しランプ装置２００にて、１週間の遊技情報（台データ）を記憶するようにしておき、これら週間大当り継続グラフ等の台データ情報を呼び出しランプ装置２００において生成するようにしても良いし、同一機種における大当りや連荘ランキング情報に代えて、対応するパチンコ機２おいて１週間内に発生した大当りや連荘のランキングを、例えば、「第１位  ○月○日」、「第２位  ○月×日」のように生成するようにしても良い。
【０２０６】
次に、本実施例の呼び出しランプ装置２００において地上波デジタル放送（ワンセグ放送）が送信される流れについて、図２５に基づいて以下に説明する。
【０２０７】
まず、呼び出しランプ装置２００においては、前述の入力ボタン２５５ａ〜ｄの入力に伴う表示画面２６１への各種情報の表示処理や点灯制御等の処理と平行して、図２５に示す送信処理を制御マイコン（ＭＰＵ）２７９が実行されることで、アンテナモジュール２５９から地上波デジタル放送（ワンセグ放送）が送信される。
【０２０８】
この本実施例の送信処理においては、まず、前述のように営業開始前において更新された送信設定情報に含まれる本発明の有益情報となる条件付き配信情報の各配信条件、例えばスタート回数や１０連荘等の条件への到達（成立）が有るか否かを、遊技情報テーブルにおける台データに基づいて判定し（Ｓ１）、いずれの配信条件への到達（成立）もなかった場合にはＳ２のステップに進んで、コンテンツサーバ１５０からのメニュー選択情報の受信の有無を判定し、メニュー選択情報の受信が無ければＳ３のステップに進んでコンテンツサーバからの台データ情報の受信の有無を判定し、台データ情報の受信が無ければＳ４のステップに進んで配信情報の送信完了したか否かを判定し、配信情報の送信が完了していない場合には再度Ｓ１に戻り、Ｓ１〜Ｓ４の各判定ステップを実施することで、配信条件への到達（成立）の有無、メニュー選択情報の受信の有無、台データ情報の受信の有無、配信情報の送信完了の有無を監視する監視状態となる。
【０２０９】
つまり、本実施例の送信処理のＳ１のステップにおいては、本発明における有益情報送信条件設定手段となるコンテンツサーバ１５０の配信情報設定画面にて設定された配信条件（送信条件）が満たされたか否かを、本発明における遊技情報入力手段となる信号入力部２７８に入力される遊技情報である台データに基づいて判定しており、該送信処理のＳ１を実施する制御マイコン２７９によって本発明における送信条件判定手段が形成されている。
【０２１０】
また、本実施例の送信処理のＳ２のステップにおいては、携帯電話機１００に表示されたメニュー画面において選択されたメニュー項目を特定可能なメニュー選択情報を受信しており、該送信処理のＳ２を実施する制御マイコン２７９並びに通信部２７４によって、本発明におけるメニュー選択情報受信手段が形成されている。
【０２１１】
この監視状態において、配信情報の送信完了（初めて送信する場合における未送信であることを含む）があった場合には、Ｓ４からＳ５のステップに進み、次に地上波デジタル放送（ワンセグ放送）にて送信する配信情報を特定する。
【０２１２】
具体的には、営業開始前において更新された送信設定情報に含まれる条件なし配信情報の中から、送信済みの配信情報に次いで若い配信情報番号の配信情報（初めて送信する場合には最も若い配信情報番号の配信情報）、例えば、「台データ」を特定する。尚、全ての条件なし配信情報が送信済みとなり、送信が完了した配信情報の配信情報番号に次いで若い配信情報番号の配信情報が存在しない場合には、再度、最も若い配信情報番号の配信情報を特定する。
【０２１３】
そして、該特定した配信情報である、例えば「台データ」の配信情報番号「０４」が、送信設定情報の報知対象配信情報に含まれている配信情報番号に一致するか否かを判定することにより、該特定した配信情報に報知設定が有るか否かを判定する（Ｓ６）。
【０２１４】
つまり、本実施例の送信処理におけるＳ６のステップにおいて、地上波デジタル放送送信ユニット２５６より送信する配信情報データ（送信データ）に対応する配信情報が、コンテンツサーバ１５０の配信情報設定画面において報知を実施すると設定されている報知対象配信情報であるか否かを判定しており、該送信処理のＳ６を実施する呼び出しランプ装置２００（制御マイコン２７９）によって、本発明の報知判定手段が形成されている。
【０２１５】
該判定において報知設定がある場合にはＳ７のステップに進んで、送信設定情報に含まれる該特定した配信情報に対応する報知文を特定し、該報知文を表示画面２６１に点滅表示する報知処理を実施して、これら配信情報が配信されることを、遊技者に対して事前に報知した後、Ｓ８のステップに進む。
【０２１６】
つまり、本実施例のＳ７のステップの報知処理において、報知判定手段となるＳ６のステップにて報知を実施すると設定されている報知対象配信情報であると判定されたことを条件に、表示画面２６１に報知文を点滅表示して報知を実施しており、該報知処理を実施する呼び出しランプ装置２００（制御マイコン２７９）によって、本発明の報知手段が形成されている。
【０２１７】
尚、本実施例では該報知を、配信情報の送信前に実施するようにしているが、本発明はこれに限定されるものではなく、これら報知を配信情報の送信と同時に実施するようにしても良い。
【０２１８】
一方、Ｓ６の判定において報知設定がない場合には、Ｓ７のステップを経由せずにＳ８のステップに進み、Ｓ５のステップにおいて特定した配信情報である「台データ」の配信情報データ、つまりコンテンツサーバ１５０よりその時点までに配信されて記憶されている台データ情報を読み出して、映像データとして地上波デジタル放送送信ユニット２５６に対して出力するとともに、送信設定情報として予めフラッシュメモリ２７６に記憶されているメニュー画面データ（メニューページデータ）を、データ放送用のデータとして地上波デジタル放送送信ユニット２５６に対して出力することにより、これら映像データ並びにメニュー画面データ（メニューページデータ）を含む地上波デジタル放送波（ワンセグ放送波）が生成されて、アンテナモジュール２５９から送信され、これら地上波デジタル放送波（ワンセグ放送波）の受信機能を備える携帯電話機１００を携行する遊技者は、図２６に示すように、該放送を簡便に受信して視聴することができる。
【０２１９】
つまり、本実施例の地上波デジタル放送送信ユニット２５６においては、直交周波数分割多重（ＯＦＤＭ）変調により複数のセグメントに多重化されたＩＳＤＢ−Ｔ方式に基づく地上波デジタル放送信号の簡易動画セグメント（ワンセグ）信号により、送信データ生成手段を成す台データ情報生成処理並びに送信設定情報生成処理にて生成された台データ情報や新台情報等の各種配信情報データ（送信データ）が送信されており、該地上波デジタル放送送信ユニット２５６によって本発明における地上波デジタル放送信号送信手段が形成されている。
【０２２０】
図２６は、地上波デジタル放送波（ワンセグ放送波）を受信した携帯電話機１００における表示内容を示す図であり、地上波デジタル放送波（ワンセグ放送波）の受信機能を有する携帯電話機１００の表示画面は、図２６（ａ）に示すように、画面の上部領域が映像データに基づく放送映像の表示領域とされ、画面の下部領域がデータ放送の表示領域とされており、配信情報として上述したように「台データ」が配信された場合には、図２６（ｂ）に示すように、放送映像の表示領域に、該遊技者が遊技中のパチンコ機２の一週間の大当り継続グラフや、同一機種の大当りランキングや連荘ランキングが表示されるとともに、データ放送の表示領域には、該パチンコ機２に対応する呼び出しランプ装置２００から送信される各条件なし配信情報のメニュー項目並びに当該遊技場のホームページのメニュー項目とを含む、メニュー画面データ（メニューページデータ）に基づくメニュー画面が、各メニュー項目を選択可能に表示される。
【０２２１】
つまり、本実施例においては、Ｓ４のステップにおいてＳ８のステップにおいて配信が開始された配信情報の送信完了が検知され、Ｓ５のステップにおいて、配信情報番号に基づいて、条件なし配信情報が複数である場合、例えば、条件なし配信情報が「台データ」、「新台情報」、「明日イベント」、「ワゴンサービス」である場合には、これらの配信情報が順次、送信する配信情報として決定されて送信されるため、遊技者が、その時点で送信されていない配信情報を視聴したくても、視聴したい配信情報が送信されるまで待たなくてはならないことになってしまうが、これを解消するために、本実施例では、遊技者が視聴したい配信情報に該当するメニュー項目を、メニュー画面において選択することで、当該選択したメニューの配信情報を視聴できるようになっている。
【０２２２】
具体的には、例えば、図２６（ｂ）に示すように、配信情報として台データが送信中であるときに、遊技者が、例えば、現在遊技中のパチンコ機２の後継機となる新台の情報を視聴したい場合には、「新台情報」のメニュー項目を選択する。
【０２２３】
この選択されたメニュー項目には、前述したように、コンテンツサーバ１５０のＵＲＬと各送信機ＩＤと配信情報番号との組み合わせによるメニュー識別ＵＲＬがリンクされており、該選択により、携帯電話機１００からは、インターネット網１１９を介してコンテンツサーバ１５０に、該メニュー識別ＵＲＬを含むＨＴＴＰリクエストが送信される。
【０２２４】
このＨＴＴＰリクエストの受信に応じて、コンテンツサーバ１５０は、該受信したＨＴＴＰリクエストに含まれる該ＨＴＴＰリクエストの送信元のアドレスや携帯電話キャリアの顧客ＩＤ等の情報を、来場者情報として収集するとともに、該メニュー識別ＵＲＬに含まれる送信機ＩＤの呼び出しランプ装置２００に対して、該メニュー識別ＵＲＬに含まれる配信情報番号を含むメニュー選択情報を送信する。
【０２２５】
該送信されたメニュー選択情報の受信は、Ｓ２のステップにおいて検知されてＳ１０のステップに進み、制御マイコン２７９は、その時点において送信中の配信情報の送信を中断した後、受信したメニュー選択情報に含まれる配信情報番号から、遊技者により選択された配信情報である「新台情報」を特定する。
【０２２６】
そして、該特定した配信情報である「新台情報」のコンテンツデータ（配信情報データ）をフラッシュメモリ２７６から読み出して地上波デジタル放送送信ユニット２５６に対して出力することにより、これら「新台情報」のコンテンツデータ（配信情報データ）を含む地上波デジタル放送波（ワンセグ放送波）が生成されて、アンテナモジュール２５９から送信されることにより、携帯電話機１００を携行する遊技者は、図２６（ｃ）に示すように、視聴したい「新台情報」の放送を迅速に視聴できるようになる。
【０２２７】
つまり、本実施例の呼び出しランプ装置２００（情報配信装置）は、本発明のメニュー選択情報受信手段を成すＳ２のステップにおいてメニュー選択情報を受信したことに基づいて、該受信したメニュー選択情報から特定されるメニュー項目に対応する条件なし配信情報に基づく配信情報データ（送信データ）を、地上波デジタル放送送信ユニット２５６により送信している。
【０２２８】
尚、これらメニュー画面に表示されたメニュー項目の内、「遊技場ＨＰ」のメニュー項目が選択された場合には、該選択されたメニュー項目にリンクされている遊技場ホームページのＵＲＬを含むＨＴＴＰリクエストが、携帯電話機１００からコンテンツサーバ１５０に対して送信され、該ＨＴＴＰリクエストに応じて遊技場ホームページのトップページがコンテンツサーバ１５０から配信されるようになり、携帯電話機１００を携行する遊技者は、遊技場ホームページに簡単にアクセスして、該遊技場に関する情報を取得することができる。
【０２２９】
また、メニュー画面に表示されたメニュー項目の内、「ワゴンサービス」を選択した場合には、該選択により、携帯電話機１００からコンテンツサーバ１５０に対して、コンテンツサーバ１５０のＵＲＬと各送信機ＩＤと「ワゴンサービス」の配信情報番号との組み合わせによるメニュー識別ＵＲＬを含むＨＴＴＰリクエストが送信される。
【０２３０】
このＨＴＴＰリクエストの受信に応じて、コンテンツサーバ１５０は、前述の「新台情報」の場合と同様に、該受信したＨＴＴＰリクエストに含まれる該ＨＴＴＰリクエストの送信元のアドレスや携帯電話キャリアの顧客ＩＤ等の情報を、来場者情報として収集するとともに、該メニュー識別ＵＲＬに含まれる送信機ＩＤの呼び出しランプ装置２００に対して、該メニュー識別ＵＲＬに含まれる配信情報番号を含むメニュー選択情報を送信する。
【０２３１】
該送信されたメニュー選択情報の受信は、Ｓ２のステップにおいて検知されてＳ１０のステップに進み、制御マイコン２７９は、その時点において送信中の配信情報の送信を中断した後、受信したメニュー選択情報に含まれる配信情報番号から、遊技者により選択された配信情報である「ワゴンサービス」を特定する。
【０２３２】
そして、該特定した配信情報である「ワゴンサービス」のコンテンツデータ（配信情報データ）、具体的には、ワゴンサービスの利用方法やメニュー内容並びに期間限定の特別メニューの案内映像コンテンツとともに、注文ページへのＵＲＬにリンクされたメニューページデータを含むコンテンツデータ（配信情報データ）をフラッシュメモリ２７６から読み出して地上波デジタル放送送信ユニット２５６に対して出力することにより、これら「ワゴンサービス」のコンテンツデータ（配信情報データ）を含む地上波デジタル放送波（ワンセグ放送波）が生成されて、アンテナモジュール２５９から送信されることにより、携帯電話機１００を携行する遊技者は、視聴したい「ワゴンサービス」の放送を迅速に視聴できるようになる。
【０２３３】
そして、該ワゴンサービスの配信情報の視聴において、遊技者が、商品の注文を行いたい場合には、図示しないメニューページに表示される「注文する」のメニュー項目を選択することにより、該メニュー項目にリンクされているワゴンサービス注文受付けページのＵＲＬを含むＨＴＴＰリクエストが、コンテンツサーバ１５０に対して送信されることで、該コンテンツサーバ１５０からワゴンサービス注文受付けページが配信され、ワゴンサービスの注文受付け、具体的には、注文するメニュー内容、数量、注文を届ける遊技台（台番号）の受付けが実施されるとともに、該受付けた内容が、電子メールとして、ワゴンサービスを実施しているサービス員が携行する携帯電話機に通知されて、注文内容の商品の提供が実施される。
【０２３４】
また、コンテンツサーバ１５０において、前述の台データ情報生成処理が実施されることにより、逐次送信される台データ情報の受信があった場合には、該台データ情報の受信がＳ３のステップにおいて検知されてＳ９のステップに進み、受信した台データ情報を更新記憶することで、呼び出しランプ装置２００から送信される台データ情報としては、常に、その直近までの台データによりコンテンツサーバ１５０において生成された最新の台データ情報が送信されるようになっている。  
【０２３５】
また、遊技情報テーブルの本日データにおいて管理している、対応するパチンコ機２の台データが、いずれかの配信条件に到達（成立）した場合には、Ｓ１からＳ１５−のステップに進み、その時点において送信中の配信情報の送信を中断した後、該到達（成立）した配信条件に対応する配信情報、例えば、スタート回数が１０００回に達した場合であれば、「高設定台、甘釘台」の配信情報を特定する（Ｓ１５）。
【０２３６】
そして、該特定した配信情報である「高設定台、甘釘台」の配信情報番号「０８」が、送信設定情報の報知対象配信情報に含まれている配信情報番号に一致するか否かを判定することにより、該特定した配信情報に報知設定が有るか否かを判定する（Ｓ１６）。
【０２３７】
つまり、本実施例の送信処理におけるＳ１６のステップにおいて、地上波デジタル放送送信ユニット２５６より送信する配信情報データ（送信データ）に対応する条件付き配信情報が、コンテンツサーバ１５０の配信情報設定画面において報知を実施すると設定されている報知対象配信情報であるか否かを判定しており、該送信処理のＳ６を実施する呼び出しランプ装置２００（制御マイコン２７９）によって、本発明の報知判定手段が形成されている。
【０２３８】
該判定において報知設定がある場合にはＳ１７のステップに進んで、送信設定情報に含まれる該特定した配信情報に対応する報知文、具体的には、「チャンス到来、本日の高設定台、甘釘台の情報がワンセグ送信されます。お見逃しなく！！」を特定し、該報知文を、その時点において表示画面２６１に表示されている、例えば、遊技情報テーブルにて集計、管理している台データ（本日）に基づく図２７（ａ）の台データ（本日）画面に代えて、図２７（ｂ）に示すように表示画面２６１に点滅表示する報知処理を実施して、これら本日の高設定台、甘釘台の情報が配信されることを、遊技者に対して事前に報知する。
【０２３９】
つまり、本実施例のＳ１７のステップの報知処理において、報知判定手段となるＳ１６のステップにて報知を実施すると設定されている報知対象配信情報であると判定されたことを条件に、表示画面２６１に報知文を点滅表示して報知を実施しており、該報知処理を実施する呼び出しランプ装置２００（制御マイコン２７９）によって、本発明の報知手段が形成されている。
【０２４０】
そして、Ｓ１８のステップに進み、Ｓ１５のステップにおいて特定した配信情報である「高設定台、甘釘台」の配信情報データを読み出して、映像データとして地上波デジタル放送送信ユニット２５６に対して出力することにより、これら「高設定台、甘釘台」の配信情報データを含む地上波デジタル放送波（ワンセグ放送波）が生成されて、アンテナモジュール２５９から送信されることにより、スタート回数が１０００回に達した際に遊技している、長期間に亘り大当りとなっていない「大ハマリ」状態である可能性が高い遊技者に対して、高設定台や甘釘台がどの遊技機であるかを提供することができる。
【０２４１】
尚、本実施例では、これら配信条件に到達した際に送信される、配信条件付き配信情報の送信を、その時点において送信中の配信情報（条件なし配信情報）の送信を中断して実施するようにしているが、本発明はこれに限定されるものではなく、これら送信中の配信情報の送信が終了した時点において送信するようにしても良い。
【０２４２】
また、同様に、配信条件である１０連荘が成立した場合には、Ｓ１５のステップにおいて、該１０連荘に対応する「コーヒー無料券」の配信情報が特定され、該「コーヒー無料券」の配信情報、具体的には、コーヒー無料券獲得を祝福する映像並びにコーヒー無料券を提供するコーヒー会社の広告コンテンツの含む映像データと、ワゴンサービスにおいてコーヒーを無料にて提供するための二次元バーコードのデータとを含む地上波デジタル放送波（ワンセグ放送波）が生成されて送信されることにより、１０連荘を達成した遊技者は、無料にてコーヒーのワゴンサービスを受けることができる。
【０２４３】
また、異なる遊技島１（例えば０３島）に設置されたパチンコ機２において、配信条件である１２連荘が成立した場合には、Ｓ１５のステップにおいて、該１２連荘に対応する「新台整理券」の配信情報が特定され、該「新台整理券」の配信情報、具体的には、新台整理券の獲得方法を案内する説明映像を含む映像データと、コンテンツサーバ１５０における新台整理券の受付けページのＵＲＬを含み、該ＵＲＬにリンクされた「新台整理券を申し込む」の選択メニューを有するアクセス用ページデータとを含む地上波デジタル放送波（ワンセグ放送波）が生成されて送信される。
【０２４４】
この「新台整理券」の配信情報、つまり、新台整理券の獲得方法を案内する説明映像を視聴した遊技者は、データ放送領域に表示されるアクセス用ページの「新台整理券を申し込む」の選択メニューを、該説明映像の視聴後において選択することで、簡便にコンテンツサーバ１５０の新台整理券の受付けページにアクセスすることができる。
【０２４５】
そして、該新台整理券の受付けページには、前述した新台整理券情報データに基づき、新台整理券を取得することのできる優先入場が実施される日付の一覧が、選択可能に表示されており、遊技者は、該日付の一覧から、新台整理券を希望する日付を選択して申し込みを実施し、これを受けてコンテンツサーバ１５０は、該選択された日付において使用できる整理券番号を新台整理券情報データに基づいて特定し、該特定した整理券番号と当該日付とを含む新台整理券データ（ページデータ）を、該アクセスしてきた携帯電話機１００に対して配信することにより、１２連荘を達成した遊技者は、新台整理券を獲得することができる。尚、コンテンツサーバ１５０は、新たに新台整理券を発行（配信）したときには、該発行（配信）した整理券に使用した整理券番号と対象日とに基づき、新台整理券情報データを更新する。
【０２４６】
つまり、本実施例の送信処理において、地上波デジタル放送送信ユニット２５６（地上波デジタル放送信号送信手段）は、送信条件判定手段となるＳ１のステップにおいて、配信条件（送信条件）が満たされたと判定されたことを条件に、本発明の送信データ生成手段となる送信設定情報生成処理にて生成された有益情報を含む送信設定情報に基づく高設定台・甘釘台、コーヒー無料券、新台整理券の配信情報の配信情報データ（送信データ）を送信している。
【０２４７】
以上は、台対応送信機である呼び出しランプ装置２００から地上波デジタル放送（ワンセグ放送）が送信される流れを、該呼び出しランプ装置２００において実施される送信処理に基づいて説明したが、本実施例の島対応送信機である島対応送信機４から地上波デジタル放送（ワンセグ放送）が送信される流れについても、島対応送信機４において図２５に示す呼び出しランプ装置２００において実施される送信処理とほぼ同様の処理が実施されることにより、地上波デジタル放送（ワンセグ放送）が送信される。
【０２４８】
但し、本実施例では、島対応送信機４からは、メニュー画面データ（メニューページデータ）を含む地上波デジタル放送波（ワンセグ放送波）が送信されないのでＳ２のメニュー選択情報の受信の有無の判定ステップが省略されているとともに、コンテンツサーバ１５０からの台データ情報の送信が島対応送信機４に対してなされないので、Ｓ３の台データ情報の受信の有無判定が省略された送信処理とされている。但し、本発明はこれに限定されるものではなく、これら島対応送信機４からも、当該遊技場のホームページにリンクされたメニュー項目を含むメニュー画面データを送信するようにしても良い。
【０２４９】
また、島対応送信機４には、呼び出しランプ装置２００のように、表示画面２６１が設けられていないので、配信情報が報知対象配信情報である場合でも、当該配信情報を送信することを報知することができないため、Ｓ６の判定並びにＳ７の報知処理を有しない送信処理とされている。但し、本発明はこれに限定されるものではなく、これら島対応送信機４に、呼び出しランプ装置２００と同様に表示画面や送信報知ランプやブザー等を設けて、配信情報が報知対象配信情報である場合に、送信報知を実施するようにしても良い。
【０２５０】
このように、Ｓ２並びにＳ２に伴うＳ１５−からＳ１８の処理と、Ｓ３並びにＳ３に伴うＳ９の処理と、Ｓ６、Ｓ７の報知処理とを有しない送信処理が制御マイコン（ＭＰＵ）４０１により実施されることにより、具体的には、図１５の配信情報設定画面の配信情報テーブル表示エリアに表示されている内容に示すように、例えば、当該遊技島１内に設置されている機種の紹介映像コンテンツから成る「島内機種紹介」の配信情報や、当該遊技島１にて実施されているイベント、例えば、女性会員限定のレディースイベント等を案内する案内映像コンテンツから成る「島内イベント紹介」の配信情報や、翌日に実施するイベントの案内映像コンテンツから成る「明日イベント」の配信情報や、ワゴンサービスの利用方法やメニュー内容並びに期間限定の特別メニューの案内映像コンテンツから成る「ワゴンサービス」等の配信情報が、地上波デジタル放送送信ユニット４０４に接続されている遊技島１の端部側面に設置された送信アンテナ４００から、該送信アンテナ４００の前方を通過する遊技者に対して、順次送信されるので、遊技者は、遊技場内において、携帯電話機１００の受信チャンネルを一々変更することなく、場所を移動するだけで、その場所に応じた配信情報を含む地上波デジタル放送波（ワンセグ放送波）を受信して視聴できるようになる。
【０２５１】
つまり、本実施例の地上波デジタル放送送信ユニット４０４においては、直交周波数分割多重（ＯＦＤＭ）変調により複数のセグメントに多重化されたＩＳＤＢ−Ｔ方式に基づく地上波デジタル放送信号の簡易動画セグメント（ワンセグ）信号により、送信データ生成手段を成す送信設定情報生成処理にて生成された「島内機種紹介」等の各種配信情報データ（送信データ）が送信されており、該地上波デジタル放送送信ユニット４０４によって本発明における地上波デジタル放送信号送信手段が形成されている。
【０２５２】
尚、本実施例では、台対応送信機である呼び出しランプ装置２００と島対応送信機４とから送信される地上波デジタル放送波（ワンセグ放送波）のチャンネルを同一チャンネルとした例を示したが、本発明はこれに限定されるものではなく、これら呼び出しランプ装置２００と島対応送信機４との送信チャンネルを異なるものとして、互いの電波が干渉しないようにしても良いし、更には、隣接する呼び出しランプ装置２００が送信する送信チャンネルを相互に異なる送信チャンネルとしたり、遊技島１間の通路を挟んで対向する呼び出しランプ装置２００同士の送信チャンネルを相互に異なる送信チャンネルとしたり、隣接または対向する島対応送信機４から送信する送信チャンネルを異なるようにしても良く、これら各呼び出しランプ装置２００や島対応送信機４からの送信チャンネルを、コンテンツサーバ１５０において、個々に設定、変更できるようにしても良い。
【０２５３】
尚、これら隣接する呼び出しランプ装置２００が送信する送信チャンネルを相互に異なる送信チャンネルとしたり、遊技島１間の通路を挟んで対向する呼び出しランプ装置２００同士の送信チャンネルを相互に異なる送信チャンネルとしたり、隣接または対向する島対応送信機４から送信する送信チャンネルを異なるようにする場合にあっては、これら送信するチャンネルを表示して、受信する遊技者が、受信を希望する呼び出しランプ装置２００や島対応送信機４から送信される地上波デジタル放送波（ワンセグ放送波）の送信チャンネルを容易に認識できるようにすることが好ましい。
【０２５４】
また、隣接する呼び出しランプ装置２００が送信する送信チャンネルを相互に異なる送信チャンネルとする場合には、カードユニット３において受信するチャンネルを、予め、接続されているパチンコ機２に対応する呼び出しランプ装置２００が送信する送信チャンネルに設定しておくことで、金属製の遮蔽版２６８を用いないようにしても良い。
【０２５５】
以上のように、本実施例の情報配信システムは、１または複数の遊技機であるパチンコ機２に対応して設置され、該対応するパチンコ機２に関する各種配信情報を遊技者が所持する携帯電話機１００（携帯情報端末）に配信する情報配信装置となる呼び出しランプ装置２００や島対応送信機４を少なくとも含む情報配信システムである。
【０２５６】
以上、本実施例によれば、地上波デジタル放送の受信機能を有する携帯電話機１００（携帯情報端末）を所持する遊技者は、該地上波デジタル放送の受信操作を行うのみで、手間をかけることなく簡便に、台データや新台情報等の呼び出しランプ装置２００や島対応送信機４が対応するパチンコ機２関する情報を取得することができる。
【０２５７】
また、本実施例によれば、送信条件を満たすことで高設定台や甘釘台、コーヒー無料券や新台整理券等の有益情報が送信されるため、これら有益情報を取得した遊技者の喜びを刺激し、これら有益情報を遊技者が取得しようとする結果、当該システムの利用を促進できる。
【０２５８】
また、本実施例によれば、遊技に伴い発生する遊技情報に関する送信条件であるスタート回数１０００回や、１０連荘、１２連荘等の条件を満たすことで、高設定台や甘釘台、コーヒー無料券や新台整理券等の有益情報が配信されるため、遊技者は、これら有益情報を入手するために送信条件を満たそうとするので、遊技者の遊技意欲を向上させることができる。
【０２５９】
また、本実施例によれば、情報配信装置である呼び出しランプ装置２００や島対応送信機４から送信された放送波が、対応するパチンコ機２や、対応する遊技島１に設置されているパチンコ機２の範囲を超えた領域にまで到達することを極力防止でき、隣接する情報配信装置から送信された放送波の干渉等による影響を低減できる。
【０２６０】
また、本実施例によれば、遊技者に対して特に提供したい重要性の高い情報、例えば、遊技者にとって有益性が高い高設定台や甘釘台、コーヒー無料券や新台整理券等の有益情報等を報知対象として設定することにより、これら重要性の高い情報が送信されることが報知されるので、重要性の高い情報が送信されることを、遊技者に確実に認識させせることができる。
【０２６１】
また、本実施例によれば、メニュー画面データを含む地上波デジタル放送波（ワンセグ放送波）を送信するので、複数の情報を配信する場合において、遊技者が希望する情報を迅速に配信できる。
【０２６２】
また、本実施例によれば、情報表示装置となるカードユニット３の表示変更を実施するための個別の装置を別途設ける必要がない。
【０２６３】
以上、本発明の実施例を図面により説明してきたが、具体的な構成はこれら実施例に限られるものではなく、本発明の要旨を逸脱しない範囲における変更や追加があっても本発明に含まれる。
【０２６４】
例えば、上記実施例では、情報配信装置としてパチンコ機２に１対１に対応して設けられる呼び出しランプ装置２００や、複数のパチンコ機２が並設された遊技島１に設けられた島対応送信機４を例示しているが、本発明はこれに限定されるものではなく、これら情報配信装置として、遊技場に設置された全パチンコ機２を対象として、例えば、景品交換カウンタ等に、これら遊技場に設置された全パチンコ機２に関する情報、例えば、ランキングや新台紹介等の情報（コンテンツ）を、地上波デジタル放送（ワンセグ放送）にて送信するようにしても良い。
【０２６５】
また、前記実施例では、呼び出しランプ装置２００をパチンコ機２に１対１に対応する情報配信装置として用いており、このようにすることは、地上波デジタル放送（ワンセグ放送）を送信するのに好適となるパチンコ機２の上部位置の限られた領域を効率良く利用できることから好ましいが、本発明はこれに限定されるものではなく、これらパチンコ機２に１対１に対応する情報配信装置を、呼び出しランプ装置２００とは個別に、別体として設けるようにしても良い。
【０２６６】
尚、これら情報配信装置を、呼び出しランプ装置２００とは個別に、別体として設けた場合においては、カードユニット３と同様に、呼び出しランプ装置に地上波デジタル放送（ワンセグ放送）の受信機能を設けて、表示画面１に表示する表示内容、具体的には、玉をメダル等とする単位表示や、確変大当りや通常大当りをビッグボーナスやレギュラーボーナスとする台データ単位表示を変更するフォーム変更設定データや、会員促進情報の情報等を変更する変更情報データを含む表示変更情報を、呼び出しランプ装置に対して送信するようにしても良い。
【０２６７】
また、前記実施例では、島対応送信機４から送信される配信情報として、図１５において、条件なし配信情報のみ例示しているが、本発明はこれに限定されるものではなく、これら条件なし配信情報とともに、例えば、条件付き配信情報として、１日の内の所定時間、例えば、午後３時と午後６時に、該遊技島内における高設定台や甘釘台等の情報を１回に限り送信するようにしたり、所定時間間隔、例えば１時間毎に、遊技島１内に設置されている各パチンコ機２の差玉の情報を送信するようにしても良い。
【０２６８】
また、前記実施例では、遊技機としてパチンコ機２を例示しているが、本発明はこれに限定されるものではなく、これら遊技機を、パチンコ玉が指触不能に内封された封入式のパチンコ機であっても良いし、遊技媒体としてメダルを使用するスロットマシンとしても良い。
【０２６９】
また、前記実施例では、携帯情報端末として携帯電話機１００を例示しているが、本発明はこれに限定されるものではなく、これら携帯情報端末としては、遊技者が携行可能であって、地上波デジタル放送（ワンセグ放送）の受信機能を備えるものであれば良く、例えば、地上波デジタル放送（ワンセグ放送）の受信機能を備える超小型のノートパソコンや電子辞書等のＰＤＡ（Personal Digital Assistant）端末であっても良い。
【０２７０】
また、前記実施例では、遊技機に関する遊技機関連情報を入力する遊技機関連情報入力手段として、遊技機関連情報となる台データ情報を作成するための台データを集計する、大当り信号１や大当り信号２信号等のパチンコ機２から出力される各信号や、アウト玉計数器１６から出力されるアウト玉計数信号等の各信号が入力される信号入力部２７８を備える呼び出しランプ装置２００と、遊技機関連情報となる新台情報等の各種配信情報を入力するコンテンツサーバ１５０とを設けているが、本発明はこれに限定されるものではなく、これら遊技機関連情報を、これのいずれか一方のみにおいて入力するようにしても良い。
【０２７１】
また、前記実施例では、各パチンコ機２の台データを集中管理するホールコンピュータ１３０を設けて、該ホールコンピュータ１３０からコンテンツサーバ１５０が、台データ情報を作成する対象のパチンコ機２の台データやランキングデータを取得するようにしているが、本発明はこれに限定されるものではなく、これらホールコンピュータ１３０とコンテンツサーバ１５０とを一体のコンピュータにて形成するようにしても良いし、ホールコンピュータ１３０を用いずに、各呼び出しランプ装置２００において、対応するパチンコ機２の過去１週間分の台データを記憶しておき、該１週間分の台データの中から大当り回数や連荘回数等の必要なデータを抽出して、台データ情報を作成するようにしても良い。尚、このように、呼び出しランプ装置２００において、対応するパチンコ機２の過去１週間分の台データを記憶している場合にあっては、台データ情報をコンテンツサーバ１５０に代わって、呼び出しランプ装置２００側において生成するようにしても良い。
【０２７２】
つまり、これら台データ情報を呼び出しランプ装置２００側において生成し、これら台データ情報のみを呼び出しランプ装置２００から送信する場合にあっては、コンテンツサーバ１５０や島対応送信機４を有しない情報配信システム、すなわち、呼び出しランプ装置２００のみにより本発明の情報配信システムを構成しても良い。
【０２７３】
この場合において、配信条件の設定や報知設定は、呼び出しランプ装置２００側において、例えば、リモコンや入力ボタン２５５ａ〜ｄを操作して、設定するようにすれば良い。
【０２７４】
また、前記実施例では、地上波デジタル放送としてワンセグ放送のみを送信するようにしているが、本発明はこれに限定されるものではなく、これらワンセグ放送に加えて、多のセグメントの放送も同一の配信情報について実施するようにし、これら簡易動画セグメント以外の高画質のセグメント（フルモーション動画）を受信可能な携帯情報端末にも、配信情報を送信できるようにしても良い。
【０２７５】
また、前記実施例では、カードユニット３に地上波デジタル放送の受信機能を備えることで、地上波デジタル放送（ワンセグ放送）の受信機能を備える携帯電話機１００を携行していない遊技者も、カードユニット３において呼び出しランプ装置２００から送信される地上波デジタル放送（ワンセグ放送）を視聴できるとともに、カードユニット３に表示変更情報を送信して、表示変更情報を更新できるようにしているが、本発明はこれに限定されるものではなく、これらカードユニット３として、地上波デジタル放送（ワンセグ放送）の受信機能を有しないカードユニットを使用しても良い。
【０２７６】
また、呼び出しランプ装置２００から送信する条件付き配信情報の配信条件としては、スタート回数や連荘回数等の遊技情報に関する条件を例示したが、本発明はこれに限定されるものではなく、これら条件としては、その他の遊技情報、例えば、差玉数等の情報や大当り回数の情報としても良いし、遊技情報に関しない条件、例えば、所定時刻である１９時等のような条件であっても良い。
【０２７７】
また、前記実施例では、呼び出しランプ装置２００において、送信する配信情報が報知対象配信情報である場合に、報知文を表示画面２６１に表示することにより報知を実施しているが、本発明はこれに限定されるものではなく、これら報知を、音声や、ＬＥＤモジュール２６７の点灯、並びにこれらの組み合わせにより報知するようにしても良い。
【０２７８】
また、前記実施例では、遊技者により選択されたメニュー項目を特定可能なメニュー選択情報を、コンテンツサーバ１５０を介して呼び出しランプ装置２００が受信するようにしているが、本発明はこれに限定されるものではなく、これらメニュー選択情報を、例えば、赤外線通信等により、呼び出しランプ装置２００が携帯電話機１００から直接受信するようにしても良い。
【０２７９】
また、前記実施例では、前述の送信処理を実施することで、呼び出しランプ装置２００並びに島対応送信機４において配信する情報を決定するようにしているが、本発明はこれに限定されるものではなく、各呼び出しランプ装置２００並びに島対応送信機４から送信する配信情報やその順序を、コンテンツサーバ１５０が一括管理しており、該コンテンツサーバ１５０からの配信情報番号を含む送信指示の受信に応じて、該配信情報番号の配信情報を送信するようにしても良く、この場合においてコンテンツサーバ１５０は、前述のメニュー選択情報に代えて、選択されたメニュー項目の配信情報番号を含む送信指示を、配信情報の送信中若しくは配信情報の送信終了後に送信するようにすれば良い。
【０２８０】
また、前記実施例では、予め、カードユニット３を表示変更情報受信モードに変更してから表示変更情報を、受信対象とするカードユニット３が接続されているパチンコ機２に対応する呼び出しランプ装置２００から送信するようにしているが、本発明はこれに限定されるものではなく、データ放送のデータが、表示変更情報である旨を示す特定の識別ヘッダ等を付加して表示変更情報を、通常のデータ放送のデータとして送信し、該識別ヘッダに基づいてカードユニット３が、自動的に表示変更情報の受信を判別して、表示変更情報を更新するようにしても良い。
【０２８１】
また、前記実施例では、情報配信装置として呼び出しランプ装置２００と島対応送信機４の両方を設けるようにしているが、本発明はこれに限定されるものではなく、これらいずれか一方のみを設けるようにしても良い。
【０２８２】
また、前記実施例では、各呼び出しランプ装置２００に対して、予め送信データとなる送信設定情報を配信しておき、各配信情報の送信が該配信されて記憶されている送信設定情報に基づいて実施されるようになっているが、本発明はこれに限定されるものではなく、これら送信データとなる配信情報データを、各配信情報を送信する際に、コンテンツサーバ１５０において生成して呼び出しランプ装置２００に対して送信し、該配信情報データを呼び出しランプ装置２００が地上波デジタル放送（ワンセグ放送）として送信するようにしても良い。
【０２８３】
この場合においては、コンテンツサーバ１５０が携帯電話機１００からメニュー選択に基づくメニュー識別ＵＲＬを含むＨＴＴＰリクエストを受信することで、選択されたメニュー項目を特定して、該特定した選択されたメニュー項目の配信情報データを生成して呼び出しランプ装置２００に対して送信することによって、選択されたメニュー項目の配信情報が呼び出しランプ装置２００から送信されるようになるので、この場合にあって本発明の請求項６におけるメニュー選択情報受信手段は、コンテンツサーバ１５０が該当することになる。
【０２８４】
また、前記実施例では、呼び出しランプ装置２００には、図２７（ａ）に示すように、対応するパチンコ機２の大当り回数や確変回数や時短回数等の各種遊技情報から成る台データ（本日）が表示されているので、呼び出しランプ装置２００から送信する台データ情報としては、これら台データに含まれていない情報となる、週間大当り継続グラフやランキングの情報を送信するようにしているが、本発明はこれに限定されるものではなく、これら呼び出しランプ装置２００において表示される台データの画面を含む台データ情報を送信することにより、これら台データも併せて携帯電話機１００に送信するようにしても良い。
【０２８５】
また、前記実施例では、遊技機関連情報入力手段となる信号入力部２７８を、呼び出しランプ装置２００に設けるようにしているが、本発明はこれに限定されるものではなく、これら呼び出しランプ装置２００が対応するパチンコ機２並びにアウト玉計数器１６の各信号を、前述した送信データ列をホールコンピュータ１３０に送信する呼び出しランプ装置２００とは別体とされた収集ユニットに入力させるようにしても良く、この場合においては、該収集ユニットが本発明の遊技機関連情報入力手段に該当する。
【０２８６】
また、前記実施例では、呼び出しランプ装置２００から送信される新台情報を、該呼び出しランプ装置２００が対応するパチンコ機２の後継機となる新台の情報としているが、本発明はこれに限定されるものではなく、これら新台情報を、対応するパチンコ機２の後継機ではないその他の新台情報としても良く、この場合において遊技機関連情報としては、台データ情報のみが該当する。
【０２８７】
また、前記実施例では、有益情報送信条件設定手段並びに報知設定手段をコンテンツサーバ１５０に設けているが、本発明はこれに限定されるものではなく、これら有益情報送信条件設定手段並びに報知設定手段を、例えば、設定データが記憶されたＵＳＢメモリ等のメモリ記憶媒体等を装着可能な記録媒体装着部を呼び出しランプ装置２００や島対応送信機４に設けて、該記録媒体装着部に装着されたメモリ記憶媒体等から設定データを読み出して設定するようにすることで、有益情報送信条件設定手段並びに報知設定手段を呼び出しランプ装置２００や島対応送信機４に設けるようにしても良い。
【０２８８】
また、前記実施例では、呼び出しランプ装置２００において送信処理を実施することにより、該呼び出しランプ装置２００に送信条件判定手段を設けた形態を例示しているが、本発明はこれに限定されるものではなく、各パチンコ機２からの信号入力やホールコンピュータ１３０からの台データ等により、送信条件が満たされたか否かをコンテンツサーバ１５０が判定することで、送信条件判定手段をコンテンツサーバ１５０に設けるようにしても良い。
【０２８９】
この場合には、送信条件が満たされた旨が呼び出しランプ装置２００に通知され、該通知を受信した呼び出しランプ装置２００が送信データを送信する。
【０２９０】
また、前記実施例では、遊技者にとって有益となる有益情報である高設定台・甘釘台、コーヒー無料券、新台整理券の情報の入力をコンテンツサーバ１５０にて実施する形態、つまり、本発明の有益情報入力手段がコンテンツサーバ１５０にて形成されている形態を例示したが、本発明はこれに限定されるものではなく、例えば、これら有益情報である高設定台・甘釘台、コーヒー無料券、新台整理券の情報が記憶されたＵＳＢメモリ等のメモリ記憶媒体等を装着可能な記録媒体装着部を呼び出しランプ装置２００に設けて、該記録媒体装着部に装着されたメモリ記憶媒体等から有益情報を読み出しできるようにすることで、有益情報入力手段を呼び出しランプ装置２００に設け、送信データを呼び出しランプ装置２００にて生成して送信するようにしても良い。
【０２９１】
また、本発明の情報配信システムは、前述したように、情報配信装置である呼び出しランプ装置２００並びに島対応送信機４と、コンテンツサーバ１５０とから構成するのではなく、例えば、呼び出しランプ装置２００並びに島対応送信機４の単独で構成するようにしても良く、この場合にあっては、上記した有益情報送信条件設定手段並びに報知設定手段や、送信条件判定手段や、有益情報入力手段は、情報配信装置である呼び出しランプ装置２００並びに島対応送信機４に、上述するようにして設けるようにすれば良い。
【０２９２】
また、前記実施例では、変更情報入力手段をコンテンツサーバ１５０に設けた形態を例示しているが、本発明はこれに限定されるものではなく、これら変更情報が記憶されたＵＳＢメモリ等のメモリ記憶媒体等を装着可能な記録媒体装着部を呼び出しランプ装置２００や島対応送信機４に設けて、該記録媒体装着部に装着されたメモリ記憶媒体等から変更情報を読み出しできるようにすることで、変更情報入力手段を呼び出しランプ装置２００に設け、送信データを呼び出しランプ装置２００にて生成して送信するようにしても良い。
【０２９３】
また、前記実施例では、前記配信情報設定画面において、報知対象配信情報を全て入力により設定するようにしているが、本発明はこれに限定されるものではなく、これら報知対象とする配信情報の種別を予め設定しておき、該設定された種別に該当する配信情報の場合には、入力により設定されることなく、自動的に報知対象又は非放置対象として設定されるようにしても良い。
【０２９４】
また、前記実施例では、遊技機関連情報となるパチンコ機２並びにアウト玉計数器１６からの各種信号を、情報配信装置となる呼び出しランプ装置２００に入力して、該呼び出しランプ装置２００からホールコンピュータ１３０に送信されて集計された台データをコンテンツサーバ１５０に入力する一方、新台情報等の遊技機関連情報はコンテンツサーバ１５０にて記録媒体等から入力するコンテンツサーバにおいて、前記入力された台データや新台情報等に基づいて送信データを生成するようにしているが、本発明はこれに限定されるものではなく、新台情報等に加えてパチンコ機２並びにアウト玉計数器１６からの各種信号に基づく台データも、ホールコンピュータ１３０からコンテンツサーバ１５０に入力、すなわち、全ての遊技関連情報をコンテンツサーバ１５０から入力し、該コンテンツサーバ１５０に入力された台データや新台情報等の送信データの基となる遊技機関連情報を、全て呼び出しランプ装置２００に配信して入力し、該配信、入力された遊技機関連情報に基づいて、呼び出しランプ装置２００が各種の送信データを生成する構成、つまり、遊技機関連情報入力手段としてコンテンツサーバ１５０（最終的には、呼び出しランプ装置２００に入力されるので、呼び出しランプ装置２００が遊技機関連情報入力手段とも言える）が該当し、送信データ生成手段として呼び出しランプ装置２００のみが該当する構成としても良い。
【０２９５】
更に、新台情報等の遊技機関連情報はコンテンツサーバ１５０にて記録媒体等から入力し、該入力された新台情報等の遊技機関連情報を、予め呼び出しランプ装置２００に配信して、該新台情報等の遊技機関連情報に基づく送信データを呼び出しランプ装置２００側において生成する一方、パチンコ機２並びにアウト玉計数器１６からの各種信号に基づく遊技情報（遊技機関連情報）は、呼び出しランプ装置２００に入力し、該入力された遊技情報（台データ）により送信データを呼び出しランプ装置２００側にて生成して送信する構成、つまり、遊技機関連情報入力手段として呼び出しランプ装置２００並びにコンテンツサーバ１５０の双方が該当し、送信データ生成手段は呼び出しランプ装置２００のみが該当する構成としても良い。
【０２９６】
また、新台情報等の遊技機関連情報はコンテンツサーバ１５０にて記録媒体等から入力し、該入力された新台情報等の遊技機関連情報に基づく送信データをコンテンツサーバ１５０側において生成して呼び出しランプ装置２００側に配信して該呼び出しランプ装置２００から送信させる一方、パチンコ機２並びにアウト玉計数器１６からの各種信号に基づく遊技情報（遊技機関連情報）は、呼び出しランプ装置２００に入力し、該入力された遊技情報（台データ）により送信データを呼び出しランプ装置２００側にて生成して送信する構成、つまり、遊技機関連情報入力手段として呼び出しランプ装置２００並びにコンテンツサーバ１５０の双方が該当するとともに、送信データ生成手段についても呼び出しランプ装置２００並びにコンテンツサーバ１５０の双方が該当する構成としても良い。
【図面の簡単な説明】
【０２９７】
【図１】本発明の実施例における情報配信システムの全体像を示すシステム構成図である。
【図２】本発明の実施例の情報配信システムに用いたパチンコ機、呼び出しランプ装置、カードユニットを示す図である。
【図３】本発明の実施例の情報配信システムに用いた呼び出しランプ装置２００を示す分解斜視図である。
【図４】本発明の実施例の情報配信システムに用いた呼び出しランプ装置２００の構造を示すブロック図である。
【図５】本発明の実施例において用いた地上波デジタル放送送信ユニットの構成を示すブロック図である。
【図６】（ａ）は、本発明の実施例の情報配信システムに用いた呼び出しランプ装置２００から送信される放送波の出力強度分布を示す上面図であり、（ｂ）は、本発明の実施例の情報配信システムに用いた呼び出しランプ装置２００から送信される放送波の出力強度分布を示す正面図である。
【図７】本発明の実施例において用いた島対応送信機４を示す斜視図である。
【図８】本発明の実施例において用いた島対応送信機４の構造を示すブロック図である。
【図９】本発明の実施例において用いた島対応送信機４の設置状況を示す図である。
【図１０】本発明の実施例における情報配信システムを成す呼び出しランプ装置２００並びに島対応送信機４の設置状況並びに放送波の出力状況を示す図である。
【図１１】本発明の実施例において用いたカードユニット３の構成を示すブロック図である。
【図１２】本発明の実施例において用いたカードユニット３に用いた地上波デジタル放送受信ユニットの構成を示すブロック図である。
【図１３】本発明の実施例において用いたコンテンツサーバ１５０の構成を示すブロック図である。
【図１４】本発明の実施例において用いたコンテンツサーバ１５０に表示される配信情報設定画面を示す図である。
【図１５】本発明の実施例において用いたコンテンツサーバ１５０に表示される配信情報設定画面を示す図である。
【図１６】本発明の実施例において用いたコンテンツサーバ１５０に表示される表示変更情報設定画面を示す図である。
【図１７】本発明の実施例において用いたコンテンツサーバ１５０に記憶されている送信機情報テーブルを示す図である。
【図１８】本発明の実施例において用いた呼び出しランプ装置２００に記憶されている遊技情報テーブルを示す図である。
【図１９】本発明の実施例において用いた呼び出しランプ装置２００から送信される送信データ列を示す図である。
【図２０】本発明の実施例において用いたホールコンピュータ１３０において記憶されている台別遊技情報テーブル（本日）を示す図である。
【図２１】本発明の実施例において用いたホールコンピュータ１３０において記憶されている台別履歴テーブル（本日）を示す図である。
【図２２】本発明の実施例において、コンテンツサーバ１５０と呼び出しランプ装置２００との間の情報の授受状況を示す図である。
【図２３】本発明の実施例において、コンテンツサーバ１５０と呼び出しランプ装置２００とカードユニット３の間の情報の授受状況を示す図である。
【図２４】本発明の実施例のコンテンツサーバ１５０において実施される台データ情報生成処理の処理内容を示すフロー図である。
【図２５】本発明の実施例の呼び出しランプ装置２００において実施される送信処理の処理内容を示すフロー図である。
【図２６】（ａ）〜（ｃ）は、本発明の実施例において遊技者が携行する携帯電話機１００において表示される表示画面を示す図である。
【図２７】本発明の実施例の呼び出しランプ装置２００において表示される報知メッセージを示す図である。
【符号の説明】
【０２９８】
１              遊技島
２              パチンコ機
３              カードユニット
４              島対応送信機
１６            アウト球計数器
１００          携帯電話機
１１９          インターネット網
１３０          ホールコンピュータ
１５０          コンテンツサーバ
１５２          ＣＰＵ
１５５          記憶装置
１５６          入力装置
１５７          表示装置
２００          呼び出しランプ装置
２５６          地上波デジタル放送送信ユニット
２５９          アンテナモジュール
２６１          表示画面
２７０          制御基板
２７４          通信部
２７５          ＲＡＭ
２７６          フラッシュメモリ
２７８          信号入力部
２７９          制御マイコン
３０５          突出部
３１３          液晶表示器
３１８          テレビボタン
３２７          カードリーダライタ
３２８          制御ユニット
３２９          表示制御基板
３４０          地上波デジタル放送受信ユニット
３４４          内蔵アンテナ
４００          送信アンテナ
４０１          制御マイコン（ＭＰＵ）
４０３          フラッシュメモリ
４０４          地上波デジタル放送送信ユニット
【図１】
0005059509.tif 000002
【図２】
0005059509.tif 000003
【図３】
0005059509.tif 000004
【図４】
0005059509.tif 000005
【図５】
0005059509.tif 000006
【図６】
0005059509.tif 000007
【図７】
0005059509.tif 000008
【図８】
0005059509.tif 000009
【図９】
0005059509.tif 000010
【図１０】
0005059509.tif 000011
【図１１】
0005059509.tif 000012
【図１２】
0005059509.tif 000013
【図１３】
0005059509.tif 000014
【図１４】
0005059509.tif 000015
【図１５】
0005059509.tif 000016
【図１６】
0005059509.tif 000017
【図１７】
0005059509.tif 000018
【図１８】
0005059509.tif 000019
【図１９】
0005059509.tif 000020
【図２０】
0005059509.tif 000021
【図２１】
0005059509.tif 000022
【図２２】
0005059509.tif 000023
【図２３】
0005059509.tif 000024
【図２４】
0005059509.tif 000025
【図２５】
0005059509.tif 000026
【図２６】
0005059509.tif 000027
【図２７】
0005059509.tif 000028